(57)【要約】【課題】複数の現像剤保持体に現像電圧を同時に印加する態様において、現像可能状態に早期に立ち上げると共に、像保持体上に対する不必要なトナーやキャリアの転移現象を抑制する。【解決手段】複数の現像剤保持体１，２と、平滑面７ａを有する第１の現像剤保持体１との対向部位にて少なくとも同方向に回転可能に設けられ、第１の現像剤保持体１上に保持される現像剤層を規制する層規制回転体４と、現像剤保持体１，２並びに現像剤供給手段３を駆動する現像駆動手段１０と、各現像剤保持体１，２に対して現像電圧を同時に印加する現像電圧印加手段１１と、層規制回転体４による層規制動作を切り替え可能に駆動する層規制駆動手段１２と、トナーバンド、キャリアバンドが生成されない条件で、現像駆動手段、現像電圧印加手段、層規制駆動手段を制御する制御手段１３と、を備える。【選択図】図１
2013205627.tif 000002
【特許請求の範囲】
【請求項１】
静電潜像が保持可能で循環移動する像保持体に対向して回転可能に設けられ、表面粗さが最大高さで５μｍ以下の平滑面を有すると共に、前記像保持体の静電潜像を現像するように前記像保持体との対向部位に位置する現像域に向かってトナー及びキャリアが含まれる現像剤を保持して搬送する第１の現像剤保持体と、
前記像保持体に対向して設けられ、当該像保持体の移動方向に対して前記第１の現像剤保持体の下流側又は上流側に対向して非接触に配設され、前記像保持体の静電潜像を現像するように前記像保持体との対向部位に位置する現像域に向かってトナー及びキャリアが含まれる現像剤を保持して搬送する第２の現像剤保持体と、
前記第１の現像剤保持体に対して現像剤を供給する現像剤供給手段と、
前記第１の現像剤保持体に対向して非接触に配置され、前記第１の現像剤保持体との対向部位にて少なくとも同方向に回転可能に設けられ、当該同方向に回転することで第１の現像剤保持体上に保持される現像剤層を規制する層規制回転体と、
前記第１及び第２の現像剤保持体の間の対向部位に設けられ、前記第１の現像剤保持体上に保持された現像剤を第２の現像剤保持体に受け渡す受渡し手段と、
前記第１及び第２の現像剤保持体並びに現像剤供給手段を駆動する現像駆動手段と、
前記第１及び第２の現像剤保持体上に保持された現像剤に対して前記像保持体上の静電潜像が現像可能な現像電界を形成するように、前記第１及び第２の現像剤保持体に対して現像電圧を同時に印加する現像電圧印加手段と、
前記第１の現像剤保持体との対向部位にて同方向に層規制回転体を回転させる層規制状態と、前記層規制回転体を停止又は逆方向に回転させる層規制停止状態とを切り替え可能に駆動する層規制駆動手段と、
前記第１又は第２の現像剤保持体の現像域に現像剤が搬送された状態で、当該現像域に対応して像保持体に静電潜像を形成するために帯電される帯電領域以外の非帯電領域が位置し且つ前記各現像剤保持体に前記現像電圧印加手段による現像電圧が印加される条件、及び、第１又は第２の現像剤保持体の現像域に現像剤が搬送された状態で、当該現像域に対応して像保持体上に静電潜像を形成するために帯電される帯電領域が位置し且つ前記各現像剤保持体に前記現像電圧印加手段による現像電圧が印加されない条件を除くように、現像開始から現像終了までの間において、前記現像駆動手段及び前記層規制駆動手段による駆動対象要素の駆動時期並びに前記現像電圧印加手段による現像電圧の印加時期を制御する制御手段と、
を備えたことを特徴とする現像装置。
【請求項２】
静電潜像が保持可能で循環移動する像保持体に対向して回転可能に設けられ、表面粗さが最大高さで５μｍ以下の平滑面を有すると共に、前記像保持体の静電潜像を現像するように前記像保持体との対向部位に位置する現像域に向かってトナー及びキャリアが含まれる現像剤を保持して搬送する第１の現像剤保持体と、
前記像保持体に対向して設けられ、当該像保持体の移動方向に対して前記第１の現像剤保持体の下流側又は上流側に対向して非接触に配設され、前記第１の現像剤保持体との対向部位にて前記第１の現像剤保持体と同方向に回転し、前記像保持体の静電潜像を現像するように前記像保持体との対向部位に位置する現像域に向かってトナー及びキャリアが含まれる現像剤を保持して搬送する第２の現像剤保持体と、
前記第１及び第２の現像剤保持体に対して夫々現像剤を供給する現像剤供給手段と、
前記第１の現像剤保持体に対向して非接触に配置され、前記第１の現像剤保持体との対向部位にて少なくとも同方向に回転可能に設けられ、当該同方向に回転することで第１の現像剤保持体上に保持される現像剤層を規制する層規制回転体と、
前記第２の現像剤保持体に対向して非接触に固定的に配置され、前記第２の現像剤保持体に保持される現像剤層を規制する層規制固定体と、
前記第１及び第２の現像剤保持体並びに現像剤供給手段を駆動する現像駆動手段と、
前記第１及び第２の現像剤保持体上に保持された現像剤に対して前記像保持体上の静電潜像が現像可能な現像電界を形成するように、前記第１及び第２の現像剤保持体に対して現像電圧を同時に印加する現像電圧印加手段と、
前記第１の現像剤保持体との対向部位にて同方向に層規制回転体を回転させる層規制状態と、前記層規制回転体を停止又は逆方向に回転させる層規制停止状態とを切り替え可能に駆動する層規制駆動手段と、
前記第１又は第２の現像剤保持体の現像域に現像剤が搬送された状態で、当該現像域に対応して像保持体上に静電潜像を形成するために帯電される帯電領域以外の非帯電領域が位置し且つ前記各現像剤保持体に前記現像電圧印加手段による現像電圧が印加される条件、及び、第１又は第２の現像剤保持体の現像域に現像剤が搬送された状態で、当該現像域に対応して像保持体上に静電潜像を形成するために帯電される帯電領域が位置し且つ前記各現像剤保持体に前記現像電圧印加手段による現像電圧が印加されない条件を除くように、現像開始から現像終了までの間において、前記現像駆動手段及び前記層規制駆動手段による駆動対象要素の駆動時期並びに前記現像電圧印加手段による現像電圧の印加時期を制御する制御手段と、
を備えたことを特徴とする現像装置。
【請求項３】
請求項１又は２記載の現像装置において、
前記第２の現像剤保持体は第１の現像剤保持体の表面より算術平均粗さ又は十点平均粗さで粗い表面粗さの表面を有していることを特徴とする現像装置。
【請求項４】
請求項１ないし３いずれかに記載の現像装置において、
前記制御手段は、第１の現像剤保持体上の現像剤層を可変設定するように前記層規制回転体の周速を制御することを特徴とする現像装置。
【請求項５】
請求項１ないし４いずれかに記載の現像装置において、
前記第１又は第２の現像剤保持体とは別に追加するように像保持体に対向して回転可能に設けられ、前記像保持体の静電潜像を現像するように前記像保持体との対向部位に位置する現像域に向かってトナー及びキャリアが含まれる現像剤を保持して搬送する一若しくは複数の追加現像剤保持体と、
これらの追加現像剤保持体と第１又は第２の現像剤保持体との間、あるいは、複数の追加現像剤保持体の間に設けられ、前記層規制回転体又は層規制固定体で層規制された後の現像剤を受け渡す受渡し手段と、を備え、
前記現像駆動手段は、前記第１及び第２の現像剤保持体並びに現像剤供給手段の他に更に前記追加現像剤保持体をも駆動対象とし、
前記現像電圧印加手段は、前記第１及び第２の現像剤保持体に加えて更に前記追加現像剤保持体をも現像電圧の印加対象とし、
前記制御手段は、前記第１、第２の現像剤保持体及び前記追加現像剤保持体のいずれかの現像域に現像剤が搬送された状態で、当該現像域に対応して像保持体上に静電潜像を形成するために帯電される帯電領域以外の非帯電領域が位置し且つ前記各現像剤保持体に前記現像電圧印加手段による現像電圧が印加される条件、並びに、第１、第２の現像剤保持体及び追加現像剤保持体のいずれかの現像域に現像剤が搬送された状態で、当該現像域に対応して像保持体上に静電潜像を形成するために帯電される帯電領域が位置し且つ前記各現像剤保持体に前記現像電圧印加手段による現像電圧が印加されない条件を除くように、現像開始から現像終了までの間において、前記現像駆動手段及び前記層規制駆動手段による駆動対象要素の駆動時期並びに前記現像電圧印加手段による現像電圧の印加時期を制御することを特徴とする現像装置。
【請求項６】
静電潜像が保持可能で循環移動する像保持体と、
この像保持体に静電潜像を形成するために当該像保持体を帯電する帯電装置と、
この帯電装置にて帯電された像保持体に静電潜像を形成する潜像形成装置と、
前記像保持体に形成された静電潜像を現像する請求項１ないし５いずれかに記載の現像装置と、を備え、
前記制御手段は、前記帯電装置による帯電開始時期又は帯電終了時期に基づいて前記帯電領域又は前記非帯電領域が各現像剤保持体の現像域に至る時期を判断し、前記現像駆動手段及び前記層規制駆動手段による駆動対象要素の駆動時期並びに前記現像電圧印加手段による現像電圧の印加時期を制御することを特徴とする画像形成装置。
【請求項７】
請求項６記載の画像形成装置のうち、請求項１記載の現像装置を用い、前記第１及び第２の現像剤保持体が前記像保持体との対向部位にて当該像保持体の移動方向と同方向に移動すると共に、前記像保持体の移動方向に対し前記第２の現像剤保持体が前記第１の現像保持体の下流側に位置する態様であって、
前記像保持体の帯電領域が第１の現像剤保持体の現像域に到達する時間をＴ１、前記層規制回転体が回転駆動を開始してから前記第１の現像剤保持体に現像剤を保持搬送して当該現像剤が前記第１の現像剤保持体の現像域に到達するまでに要する時間をΔＴ、前記像保持体の帯電領域が第２の現像剤保持体の現像域に到達する時間をＴ２、前記像保持体の非帯電領域が第１の現像剤保持体の現像域に到達する時間をＴ３、前記像保持体の非帯電領域が第２の現像剤保持体の現像域に到達する時間をＴ４、第１の現像剤保持体の現像域から第２の現像剤保持体の現像域までの像保持体の移動距離をＬ０、第１の現像剤保持体の現像域から第２の現像剤保持体への現像剤受渡し部位までの第１の現像剤保持体の周長をＬ１、第２の現像剤保持体への現像剤受渡し部位から第２の現像剤保持体の現像域までの第２の現像剤保持体の周長をＬ２、像保持体の周速をｖｐ、第１の現像剤保持体の像保持体の周速ｖｐに対する周速比をＲ１、第２の現像剤保持体の像保持体の周速ｖｐに対する周速比をＲ２、層規制回転体による層規制部位から現像域に至るまでの第１の現像剤保持体の周長をＬｔ、帯電装置による帯電部位から第１の現像剤保持体の現像域に至るまでの像保持体の周長をＬｃとすれば、
前記制御手段は、作像開始時には以下の制御動作、
(S1)像保持体の帯電領域が第１の現像剤保持体の現像域に到達する時間Ｔ１前に現像電圧印加手段による現像電圧を印加する制御動作
(S2)前記Ｔ１よりΔＴ前の時間以降に層規制回転体による層規制状態のための駆動を開始する制御動作
(S3)前記Ｔ１以後で、像保持体の帯電領域が第２の現像剤保持体の現像域に到達する時間Ｔ２までの間は、Ｌ１／Ｒ１＋Ｌ２／Ｒ２＞Ｌ０を満たす制御動作
を実施し、
作像終了時には以下の制御動作、
(E1)前記像保持体の非帯電領域が第１の現像剤保持体の現像域に到達する時間Ｔ３前に層規制回転体による層規制状態の駆動を停止する制御動作
(E2)前記層規制回転体による層規制状態の駆動を停止した後で、前記像保持体の帯電領域の形成が終了した後当該像保持体の非帯電領域が第１の現像剤保持体の現像域に到達する時間Ｔ３までの間は、Ｌｔ／Ｒ１＜Ｌｃを満たす制御動作
(E3)前記Ｔ３以後では、Ｌ１／Ｒ１＋Ｌ２／Ｒ２＜Ｌ０を満たす制御動作
を実施することを特徴とする画像形成装置。
【請求項８】
請求項６記載の画像形成装置のうち、請求項１記載の現像装置を用い、前記第１及び第２の現像剤保持体が前記像保持体との対向部位にて当該像保持体の移動方向と逆方向に移動すると共に、前記像保持体の移動方向に対し前記第２の現像剤保持体が前記第１の現像剤保持体の上流側に位置する態様であって、
前記像保持体の帯電領域が第１の現像剤保持体の現像域に到達する時間をＴ１、前記層規制回転体が回転駆動を開始してから前記第１の現像剤保持体に現像剤を保持搬送して当該現像剤が前記第１の現像剤保持体の現像域に到達するまでに要する時間をΔＴ、前記像保持体の帯電領域が第２の現像剤保持体の現像域に到達する時間をＴ２、前記像保持体の非帯電領域が第１の現像剤保持体の現像域に到達する時間をＴ３、前記像保持体の非帯電領域が第２の現像剤保持体の現像域に到達する時間をＴ４、第１の現像剤保持体の現像域から第２の現像剤保持体の現像域までの像保持体の移動距離をＬ０、第１の現像剤保持体の現像域から第２の現像剤保持体への現像剤受渡し部位までの第１の現像剤保持体の周長をＬ１、第２の現像剤保持体への現像剤受渡し部位から第２の現像剤保持体の現像域までの第２の現像剤保持体の周長をＬ２、像保持体の周速をｖｐ、第１の現像剤保持体の像保持体の周速ｖｐに対する周速比をＲ１、第２の現像剤保持体の像保持体の周速ｖｐに対する周速比をＲ２、層規制回転体による層規制部位から現像域に至るまでの第１の現像剤保持体の周長をＬｔ、帯電装置による帯電部位から第１の現像剤保持体の現像域に至るまでの像保持体の周長をＬｃとすれば、
前記制御手段は、作像開始時には以下の制御動作、
(S1)像保持体の帯電領域が第１の現像剤保持体の現像域に到達する時間Ｔ１前に現像電圧印加手段による現像電圧を印加する制御動作
(S2)前記Ｔ１よりΔＴ前の時間以降に層規制回転体による層規制状態のための駆動を開始する制御動作
を実施し、
作像終了時には以下の制御動作、
(E1)前記像保持体の非帯電領域が第２の現像剤保持体の現像域に到達する時間Ｔ４前に層規制回転体による層規制状態の駆動を停止する制御動作
(E2)前記層規制回転体による層規制状態の駆動を停止した後は、（Ｌｔ＋Ｌ１）／Ｒ１＋Ｌ２／Ｒ２＜Ｌｃ−Ｌ０を満たす制御動作
を実施することを特徴とする画像形成装置。
【請求項９】
請求項６記載の画像形成装置のうち、請求項２記載の現像装置を用い、前記像保持体の移動方向に対し前記第２の現像剤保持体が前記第１の現像剤保持体の下流側に位置し、前記第１及び第２の現像剤保持体の一方が前記像保持体との対向部位にて当該像保持体の移動方向と逆方向に移動すると共に、他方が前記像保持体との対向部位にて当該像保持体の移動方向と同方向に移動する態様であって、
前記像保持体の帯電領域が第１の現像剤保持体の現像域に到達する時間をＴ１、前記層規制回転体が回転駆動を開始してから前記第１の現像剤保持体に現像剤を保持搬送して当該現像剤が前記第１の現像剤保持体の現像域に到達するまでに要する時間をΔＴ、前記像保持体の帯電領域が第２の現像剤保持体の現像域に到達する時間をＴ２、前記像保持体の非帯電領域が第１の現像剤保持体の現像域に到達する時間をＴ３、前記像保持体の非帯電領域が第２の現像剤保持体の現像域に到達する時間をＴ４、像保持体の周速をｖｐ、第１の現像剤保持体の像保持体の周速ｖｐに対する周速比をＲ１、層規制回転体による層規制部位から現像域に至るまでの第１の現像剤保持体の周長をＬｔ、帯電装置による帯電部位から第１の現像剤保持体の現像域に至るまでの像保持体の周長をＬｃとすれば、
前記制御手段は、作像開始時には以下の制御動作、
(S1)像保持体の帯電領域が第２の現像剤保持体の現像域に到達する時間Ｔ２以降に前記現像電圧印加手段による現像電圧を印加する制御動作
(S2)前記Ｔ２よりΔＴ前の時間以降に層規制回転体による層規制状態のための駆動を開始する制御動作
を実施し、
作像終了時には以下の制御動作、
(E1)前記像保持体の非帯電領域が第１の現像剤保持体の現像域に到達する時間Ｔ３前に層規制回転体による層規制状態の駆動を停止する制御動作
(E2)前記像保持体の非帯電領域が第２の現像剤保持体に到達する時間Ｔ４以降に前記現像電圧印加手段による現像電圧の印加動作を停止する制御動作
(E3)前記層規制回転体による層規制状態の駆動を停止した後で、前記像保持体の帯電領域の形成が終了した後当該像保持体の非帯電領域が第１の現像剤保持体の現像域に到達する時間Ｔ３までの間は、Ｌｔ／Ｒ１＜Ｌｃを満たす制御動作
を実施することを特徴とする画像形成装置。
【請求項１０】
請求項９記載の画像形成装置において、
前記第１の現像剤保持体が前記像保持体との対向部位にて当該像保持体と逆方向に回転し、前記第２の現像剤保持体が前記像保持体との対向部位にて当該像保持体と同方向に回転することを特徴とする画像形成装置。
【請求項１１】
請求項６記載の画像形成装置のうち、請求項２記載の現像装置を用い、前記像保持体の移動方向に対し前記第２の現像剤保持体が前記第１の現像剤保持体の上流側に位置し、前記第１及び第２の現像剤保持体の一方が前記像保持体との対向部位にて当該像保持体の移動方向と逆方向に移動すると共に、他方が前記像保持体との対向部位にて当該像保持体の移動方向と同方向に移動する態様であって、
前記像保持体の帯電領域が第１の現像剤保持体の現像域に到達する時間をＴ１、前記層規制回転体が回転駆動を開始してから前記第１の現像剤保持体に現像剤を保持搬送して当該現像剤が前記第１の現像剤保持体の現像域に到達するまでに要する時間をΔＴ、前記像保持体の帯電領域が第２の現像剤保持体の現像域に到達する時間をＴ２、前記像保持体の非帯電領域が第１の現像剤保持体の現像域に到達する時間をＴ３、前記像保持体の非帯電領域が第２の現像剤保持体の現像域に到達する時間をＴ４、第１の現像剤保持体の現像域から第２の現像剤保持体の現像域までの像保持体の移動距離をＬ０、像保持体の周速をｖｐ、第１の現像剤保持体の像保持体の周速ｖｐに対する周速比をＲ１、層規制回転体による層規制部位から現像域に至るまでの第１の現像剤保持体の周長をＬｔ、帯電装置による帯電部位から第１の現像剤保持体の現像域に至るまでの像保持体の周長をＬｃとすれば、
前記制御手段は、作像開始時には以下の制御動作、
(S1)像保持体の帯電領域が第２の現像剤保持体の現像域に到達する時間Ｔ２以降に前記現像電圧印加手段による現像電圧を印加する制御動作
(S2)像保持体の帯電領域が第１の現像剤保持体の現像域に到達する時間Ｔ１よりΔＴ前の時間以降に層規制回転体による層規制状態のための駆動を開始する制御動作
を実施し、
作像終了時には以下の制御動作、
(E1)前記像保持体の非帯電領域が第２の現像剤保持体に到達する時間Ｔ４以降に前記現像電圧印加手段による現像電圧の印加動作を停止する制御動作
(E2)前記像保持体の非帯電領域が第１の現像剤保持体の現像域に到達する時間Ｔ３前に層規制回転体による層規制状態の駆動を停止する制御動作
(E3)前記層規制回転体による層規制状態の駆動を停止した後で、前記像保持体の帯電領域の形成が終了した後当該像保持体の非帯電領域が第１の現像剤保持体の現像域に到達する時間Ｔ３までの間は、Ｌｔ／Ｒ１＜Ｌｃ−Ｌ０を満たす制御動作
を実施することを特徴とする画像形成装置。
【請求項１２】
請求項１１記載の画像形成装置において、
前記第１の現像剤保持体が前記像保持体との対向部位にて当該像保持体の移動方向と同方向に移動すると共に、前記第２の現像剤保持体が前記像保持体との対向部位にて当該像保持体の移動方向と逆方向に移動することを特徴とする画像形成装置。
【請求項１３】
請求項６ないし１２いずれかに記載の画像形成装置において、
前記制御手段は、更に、画像形成装置の使用条件に応じて第１の現像剤保持体に対して現像に供する現像剤層を算出し、算出された現像剤層を得るように前記層規制回転体の周速を制御することを特徴とする画像形成装置。
【発明の詳細な説明】
【技術分野】
【０００１】
本発明は、現像装置及びこれを用いた画像形成装置に関する。
【背景技術】
【０００２】
従来における画像形成装置としては特許文献１記載のものが既に知られている。
特許文献１には、感光体ドラムの表面を帯電するメインチャージャと、上下２本の現像ローラを有する二成分現像ユニットと、上下の現像ローラに同時に現像バイアスを印加する電圧電源回路と、感光体ドラムの回転開始時にその表面電位と現像バイアス電圧の両方を段階制御するＣＰＵとを備え、かぶり及びキャリア飛びの発生をできるだけ少なくするために、感光体ドラムの回転開始時に、メインチャージャをオンした時点の感光体ドラム上の先端位置が下流側の現像ローラの中心と感光体ドラムの中心とを結ぶ線ないしその近辺に来るタイミングでバイアス電圧を印加し、感光体ドラムの表面電位が変更された位置が順次同位置に来るタイミングで次回以降のバイアス電圧を段階制御することで、最終的に感光体ドラムの表面電位と現像バイアス電圧が画像出力可能になる正規の電位差になるようにする一方、感光体ドラムの回転停止時には、画像出力可能な正規の電位差から１段階低下させた電位の先端が前記線上に来るタイミングで現像バイアスを１段階低下させ、感光体ドラムの表面電位が変更された位置が順次同位置に来るタイミングで次回以降のバイアス電圧を段階制御し、感光体ドラムの停止と共に電圧印加を停止するようにした点が開示されている。
【先行技術文献】
【特許文献】
【０００３】
【特許文献１】特開２００５−０７７５４４号公報（発明を実施するための最良の形態，図１）
【発明の概要】
【発明が解決しようとする課題】
【０００４】
本発明が解決しようとする技術的課題は、複数の現像剤保持体に現像電圧を同時に印加する態様において、現像可能状態に早期に立ち上げると共に、像保持体上に対する不必要なトナーやキャリアの転移現象を抑制する現像装置及びこれを用いた画像形成装置を提供することにある。
【課題を解決するための手段】
【０００５】
請求項１に係る発明は、静電潜像が保持可能で循環移動する像保持体に対向して回転可能に設けられ、表面粗さが最大高さで５μｍ以下の平滑面を有すると共に、前記像保持体の静電潜像を現像するように前記像保持体との対向部位に位置する現像域に向かってトナー及びキャリアが含まれる現像剤を保持して搬送する第１の現像剤保持体と、前記像保持体に対向して設けられ、当該像保持体の移動方向に対して前記第１の現像剤保持体の下流側又は上流側に対向して非接触に配設され、前記像保持体の静電潜像を現像するように前記像保持体との対向部位に位置する現像域に向かってトナー及びキャリアが含まれる現像剤を保持して搬送する第２の現像剤保持体と、前記第１の現像剤保持体に対して現像剤を供給する現像剤供給手段と、前記第１の現像剤保持体に対向して非接触に配置され、前記第１の現像剤保持体との対向部位にて少なくとも同方向に回転可能に設けられ、当該同方向に回転することで第１の現像剤保持体上に保持される現像剤層を規制する層規制回転体と、前記第１及び第２の現像剤保持体の間の対向部位に設けられ、前記第１の現像剤保持体上に保持された現像剤を第２の現像剤保持体に受け渡す受渡し手段と、前記第１及び第２の現像剤保持体並びに現像剤供給手段を駆動する現像駆動手段と、前記第１及び第２の現像剤保持体上に保持された現像剤に対して前記像保持体上の静電潜像が現像可能な現像電界を形成するように、前記第１及び第２の現像剤保持体に対して現像電圧を同時に印加する現像電圧印加手段と、前記第１の現像剤保持体との対向部位にて同方向に層規制回転体を回転させる層規制状態と、前記層規制回転体を停止又は逆方向に回転させる層規制停止状態とを切り替え可能に駆動する層規制駆動手段と、前記第１又は第２の現像剤保持体の現像域に現像剤が搬送された状態で、当該現像域に対応して像保持体に静電潜像を形成するために帯電される帯電領域以外の非帯電領域が位置し且つ前記各現像剤保持体に前記現像電圧印加手段による現像電圧が印加される条件、及び、第１又は第２の現像剤保持体の現像域に現像剤が搬送された状態で、当該現像域に対応して像保持体上に静電潜像を形成するために帯電される帯電領域が位置し且つ前記各現像剤保持体に前記現像電圧印加手段による現像電圧が印加されない条件を除くように、現像開始から現像終了までの間において、前記現像駆動手段及び前記層規制駆動手段による駆動対象要素の駆動時期並びに前記現像電圧印加手段による現像電圧の印加時期を制御する制御手段と、を備えたことを特徴とする現像装置である。
請求項２に係る発明は、静電潜像が保持可能で循環移動する像保持体に対向して回転可能に設けられ、表面粗さが最大高さで５μｍ以下の平滑面を有すると共に、前記像保持体の静電潜像を現像するように前記像保持体との対向部位に位置する現像域に向かってトナー及びキャリアが含まれる現像剤を保持して搬送する第１の現像剤保持体と、前記像保持体に対向して設けられ、当該像保持体の移動方向に対して前記第１の現像剤保持体の下流側又は上流側に対向して非接触に配設され、前記第１の現像剤保持体との対向部位にて前記第１の現像剤保持体と同方向に回転し、前記像保持体の静電潜像を現像するように前記像保持体との対向部位に位置する現像域に向かってトナー及びキャリアが含まれる現像剤を保持して搬送する第２の現像剤保持体と、前記第１及び第２の現像剤保持体に対して夫々現像剤を供給する現像剤供給手段と、前記第１の現像剤保持体に対向して非接触に配置され、前記第１の現像剤保持体との対向部位にて少なくとも同方向に回転可能に設けられ、当該同方向に回転することで第１の現像剤保持体上に保持される現像剤層を規制する層規制回転体と、前記第２の現像剤保持体に対向して非接触に固定的に配置され、前記第２の現像剤保持体に保持される現像剤層を規制する層規制固定体と、前記第１及び第２の現像剤保持体並びに現像剤供給手段を駆動する現像駆動手段と、前記第１及び第２の現像剤保持体上に保持された現像剤に対して前記像保持体上の静電潜像が現像可能な現像電界を形成するように、前記第１及び第２の現像剤保持体に対して現像電圧を同時に印加する現像電圧印加手段と、前記第１の現像剤保持体との対向部位にて同方向に層規制回転体を回転させる層規制状態と、前記層規制回転体を停止又は逆方向に回転させる層規制停止状態とを切り替え可能に駆動する層規制駆動手段と、前記第１又は第２の現像剤保持体の現像域に現像剤が搬送された状態で、当該現像域に対応して像保持体上に静電潜像を形成するために帯電される帯電領域以外の非帯電領域が位置し且つ前記各現像剤保持体に前記現像電圧印加手段による現像電圧が印加される条件、及び、第１又は第２の現像剤保持体の現像域に現像剤が搬送された状態で、当該現像域に対応して像保持体上に静電潜像を形成するために帯電される帯電領域が位置し且つ前記各現像剤保持体に前記現像電圧印加手段による現像電圧が印加されない条件を除くように、現像開始から現像終了までの間において、前記現像駆動手段及び前記層規制駆動手段による駆動対象要素の駆動時期並びに前記現像電圧印加手段による現像電圧の印加時期を制御する制御手段と、を備えたことを特徴とする現像装置である。
【０００６】
請求項３に係る発明は、請求項１又は２に係る現像装置において、前記第２の現像剤保持体は第１の現像剤保持体の表面より算術平均粗さ又は十点平均粗さで粗い表面粗さの表面を有していることを特徴とする現像装置である。
請求項４に係る発明は、請求項１ないし３いずれかに記載の現像装置において、前記制御手段は、第１の現像剤保持体上の現像剤層を可変設定するように前記層規制回転体の周速を制御することを特徴とする現像装置である。
請求項５に係る発明は、請求項１ないし４いずれかに係る現像装置において、前記第１又は第２の現像剤保持体とは別に追加するように像保持体に対向して回転可能に設けられ、前記像保持体の静電潜像を現像するように前記像保持体との対向部位に位置する現像域に向かってトナー及びキャリアが含まれる現像剤を保持して搬送する一若しくは複数の追加現像剤保持体と、これらの追加現像剤保持体と第１又は第２の現像剤保持体との間、あるいは、複数の追加現像剤保持体の間に設けられ、前記層規制回転体又は層規制固定体で層規制された後の現像剤を受け渡す受渡し手段と、を備え、前記現像駆動手段は、前記第１及び第２の現像剤保持体並びに現像剤供給手段の他に更に前記追加現像剤保持体をも駆動対象とし、前記現像電圧印加手段は、前記第１及び第２の現像剤保持体に加えて更に前記追加現像剤保持体をも現像電圧の印加対象とし、前記制御手段は、前記第１、第２の現像剤保持体及び前記追加現像剤保持体のいずれかの現像域に現像剤が搬送された状態で、当該現像域に対応して像保持体上に静電潜像を形成するために帯電される帯電領域以外の非帯電領域が位置し且つ前記各現像剤保持体に前記現像電圧印加手段による現像電圧が印加される条件、並びに、第１、第２の現像剤保持体及び追加現像剤保持体のいずれかの現像域に現像剤が搬送された状態で、当該現像域に対応して像保持体上に静電潜像を形成するために帯電される帯電領域が位置し且つ前記各現像剤保持体に前記現像電圧印加手段による現像電圧が印加されない条件を除くように、現像開始から現像終了までの間において、前記現像駆動手段及び前記層規制駆動手段による駆動対象要素の駆動時期並びに前記現像電圧印加手段による現像電圧の印加時期を制御することを特徴とする現像装置である。
【０００７】
請求項６に係る発明は、静電潜像が保持可能で循環移動する像保持体と、この像保持体に静電潜像を形成するために当該像保持体を帯電する帯電装置と、この帯電装置にて帯電された像保持体に静電潜像を形成する潜像形成装置と、前記像保持体に形成された静電潜像を現像する請求項１ないし５いずれかに係る現像装置と、を備え、前記制御手段は、前記帯電装置による帯電開始時期又は帯電終了時期に基づいて前記帯電領域又は前記非帯電領域が各現像剤保持体の現像域に至る時期を判断し、前記現像駆動手段及び前記層規制駆動手段による駆動対象要素の駆動時期並びに前記現像電圧印加手段による現像電圧の印加時期を制御することを特徴とする画像形成装置である。
請求項７に係る発明は、請求項６に係る画像形成装置のうち、請求項１に係る現像装置を用い、前記第１及び第２の現像剤保持体が前記像保持体との対向部位にて当該像保持体の移動方向と同方向に移動すると共に、前記像保持体の移動方向に対し前記第２の現像剤保持体が前記第１の現像保持体の下流側に位置する態様であって、前記像保持体の帯電領域が第１の現像剤保持体の現像域に到達する時間をＴ１、前記層規制回転体が回転駆動を開始してから前記第１の現像剤保持体に現像剤を保持搬送して当該現像剤が前記第１の現像剤保持体の現像域に到達するまでに要する時間をΔＴ、前記像保持体の帯電領域が第２の現像剤保持体の現像域に到達する時間をＴ２、前記像保持体の非帯電領域が第１の現像剤保持体の現像域に到達する時間をＴ３、前記像保持体の非帯電領域が第２の現像剤保持体の現像域に到達する時間をＴ４、第１の現像剤保持体の現像域から第２の現像剤保持体の現像域までの像保持体の移動距離をＬ０、第１の現像剤保持体の現像域から第２の現像剤保持体への現像剤受渡し部位までの第１の現像剤保持体の周長をＬ１、第２の現像剤保持体への現像剤受渡し部位から第２の現像剤保持体の現像域までの第２の現像剤保持体の周長をＬ２、像保持体の周速をｖｐ、第１の現像剤保持体の像保持体の周速ｖｐに対する周速比をＲ１、第２の現像剤保持体の像保持体の周速ｖｐに対する周速比をＲ２、層規制回転体による層規制部位から現像域に至るまでの第１の現像剤保持体の周長をＬｔ、帯電装置による帯電部位から第１の現像剤保持体の現像域に至るまでの像保持体の周長をＬｃとすれば、前記制御手段は、作像開始時には以下の制御動作(S1)から(S3)を実施し、作像終了時には以下の制御動作(E1)から(E3)を実施することを特徴とする画像形成装置である。
(S1)像保持体の帯電領域が第１の現像剤保持体の現像域に到達する時間Ｔ１前に現像電圧印加手段による現像電圧を印加する制御動作
(S2)前記Ｔ１よりΔＴ前の時間以降に層規制回転体による層規制状態のための駆動を開始する制御動作
(S3)前記Ｔ１以後で、像保持体の帯電領域が第２の現像剤保持体の現像域に到達する時間Ｔ２までの間は、Ｌ１／Ｒ１＋Ｌ２／Ｒ２＞Ｌ０を満たす制御動作
(E1)前記像保持体の非帯電領域が第１の現像剤保持体の現像域に到達する時間Ｔ３前に層規制回転体による層規制状態の駆動を停止する制御動作
(E2)前記層規制回転体による層規制状態の駆動を停止した後で、前記像保持体の帯電領域の形成が終了した後当該像保持体の非帯電領域が第１の現像剤保持体の現像域に到達する時間Ｔ３までの間は、Ｌｔ／Ｒ１＜Ｌｃを満たす制御動作
(E3)前記Ｔ３以後では、Ｌ１／Ｒ１＋Ｌ２／Ｒ２＜Ｌ０を満たす制御動作
【０００８】
請求項８に係る発明は、請求項６に係る画像形成装置のうち、請求項１に係る現像装置を用い、前記第１及び第２の現像剤保持体が前記像保持体との対向部位にて当該像保持体の移動方向と逆方向に移動すると共に、前記像保持体の移動方向に対し前記第２の現像剤保持体が前記第１の現像剤保持体の上流側に位置する態様であって、前記像保持体の帯電領域が第１の現像剤保持体の現像域に到達する時間をＴ１、前記層規制回転体が回転駆動を開始してから前記第１の現像剤保持体に現像剤を保持搬送して当該現像剤が前記第１の現像剤保持体の現像域に到達するまでに要する時間をΔＴ、前記像保持体の帯電領域が第２の現像剤保持体の現像域に到達する時間をＴ２、前記像保持体の非帯電領域が第１の現像剤保持体の現像域に到達する時間をＴ３、前記像保持体の非帯電領域が第２の現像剤保持体の現像域に到達する時間をＴ４、第１の現像剤保持体の現像域から第２の現像剤保持体の現像域までの像保持体の移動距離をＬ０、第１の現像剤保持体の現像域から第２の現像剤保持体への現像剤受渡し部位までの第１の現像剤保持体の周長をＬ１、第２の現像剤保持体への現像剤受渡し部位から第２の現像剤保持体の現像域までの第２の現像剤保持体の周長をＬ２、像保持体の周速をｖｐ、第１の現像剤保持体の像保持体の周速ｖｐに対する周速比をＲ１、第２の現像剤保持体の像保持体の周速ｖｐに対する周速比をＲ２、層規制回転体による層規制部位から現像域に至るまでの第１の現像剤保持体の周長をＬｔ、帯電装置による帯電部位から第１の現像剤保持体の現像域に至るまでの像保持体の周長をＬｃとすれば、前記制御手段は、作像開始時には以下の制御動作(S1)から(S2)を実施し、作像終了時には以下の制御動作(E1)から(E2)を実施することを特徴とする画像形成装置である。
(S1)像保持体の帯電領域が第１の現像剤保持体の現像域に到達する時間Ｔ１前に現像電圧印加手段による現像電圧を印加する制御動作
(S2)前記Ｔ１よりΔＴ前の時間以降に層規制回転体による層規制状態のための駆動を開始する制御動作
(E1)前記像保持体の非帯電領域が第２の現像剤保持体の現像域に到達する時間Ｔ４前に層規制回転体による層規制状態の駆動を停止する制御動作
(E2)前記層規制回転体による層規制状態の駆動を停止した後は、（Ｌｔ＋Ｌ１）／Ｒ１＋Ｌ２／Ｒ２＜Ｌｃ−Ｌ０を満たす制御動作
【０００９】
請求項９に係る発明は、請求項６に係る画像形成装置のうち、請求項２に係る現像装置を用い、前記像保持体の移動方向に対し前記第２の現像剤保持体が前記第１の現像剤保持体の下流側に位置し、前記第１及び第２の現像剤保持体の一方が前記像保持体との対向部位にて当該像保持体の移動方向と逆方向に移動すると共に、他方が前記像保持体との対向部位にて当該像保持体の移動方向と同方向に移動する態様であって、前記像保持体の帯電領域が第１の現像剤保持体の現像域に到達する時間をＴ１、前記層規制回転体が回転駆動を開始してから前記第１の現像剤保持体に現像剤を保持搬送して当該現像剤が前記第１の現像剤保持体の現像域に到達するまでに要する時間をΔＴ、前記像保持体の帯電領域が第２の現像剤保持体の現像域に到達する時間をＴ２、前記像保持体の非帯電領域が第１の現像剤保持体の現像域に到達する時間をＴ３、前記像保持体の非帯電領域が第２の現像剤保持体の現像域に到達する時間をＴ４、像保持体の周速をｖｐ、第１の現像剤保持体の像保持体の周速ｖｐに対する周速比をＲ１、層規制回転体による層規制部位から現像域に至るまでの第１の現像剤保持体の周長をＬｔ、帯電装置による帯電領域から第１の現像剤保持体の現像域に至るまでの像保持体の周長をＬｃとすれば、前記制御手段は、作像開始時には以下の制御動作(S1)から(S2)を実施し、作像終了時には以下の制御動作(E1)から(E3)を実施することを特徴とする画像形成装置である。
(S1)像保持体の帯電領域が第２の現像剤保持体の現像域に到達する時間Ｔ２以降に前記現像電圧印加手段による現像電圧を印加する制御動作
(S2)前記Ｔ２よりΔＴ前の時間以降に層規制回転体による層規制状態のための駆動を開始する制御動作
(E1)前記像保持体の非帯電領域が第１の現像剤保持体の現像域に到達する時間Ｔ３前に層規制回転体による層規制状態の駆動を停止する制御動作
(E2)前記像保持体の非帯電領域が第２の現像剤保持体に到達する時間Ｔ４以降に前記現像電圧印加手段による現像電圧の印加動作を停止する制御動作
(E3)前記層規制回転体による層規制状態の駆動を停止した後で、前記像保持体の帯電領域の形成が終了した後当該像保持体の非帯電領域が第１の現像剤保持体の現像域に到達する時間Ｔ３までの間は、Ｌｔ／Ｒ１＜Ｌｃを満たす制御動作
請求項１０に係る発明は、請求項９に係る画像形成装置において、前記第１の現像剤保持体が前記像保持体との対向部位にて当該像保持体と逆方向に回転し、前記第２の現像剤保持体が前記像保持体との対向部位にて当該像保持体と同方向に回転することを特徴とする画像形成装置である。
【００１０】
請求項１１に係る発明は、請求項６に係る画像形成装置のうち、請求項２に係る現像装置を用い、前記像保持体の移動方向に対し前記第２の現像剤保持体が前記第１の現像剤保持体の上流側に位置し、前記第１及び第２の現像剤保持体の一方が前記像保持体との対向部位にて当該像保持体の移動方向と逆方向に移動すると共に、他方が前記像保持体との対向部位にて当該像保持体の移動方向と同方向に移動する態様であって、前記像保持体の帯電領域が第１の現像剤保持体の現像域に到達する時間をＴ１、前記層規制回転体が回転駆動を開始してから前記第１の現像剤保持体に現像剤を保持搬送して当該現像剤が前記第１の現像剤保持体の現像域に到達するまでに要する時間をΔＴ、前記像保持体の帯電領域が第２の現像剤保持体の現像域に到達する時間をＴ２、前記像保持体の非帯電領域が第１の現像剤保持体の現像域に到達する時間をＴ３、前記像保持体の非帯電領域が第２の現像剤保持体の現像域に到達する時間をＴ４、第１の現像剤保持体の現像域から第２の現像剤保持体の現像域までの像保持体の移動距離をＬ０、像保持体の周速をｖｐ、第１の現像剤保持体の像保持体の周速ｖｐに対する周速比をＲ１、層規制回転体による層規制部位から現像域に至るまでの第１の現像剤保持体の周長をＬｔ、帯電装置による帯電部位から第１の現像剤保持体の現像域に至るまでの像保持体の周長をＬｃとすれば、前記制御手段は、作像開始時には以下の制御動作(S1)から(S2)を実施し、作像終了時には以下の制御動作(E1)から(E3)を実施することを特徴とする画像形成装置である。
(S1)像保持体の帯電領域が第２の現像剤保持体の現像域に到達する時間Ｔ２以降に前記現像電圧印加手段による現像電圧を印加する制御動作
(S2)像保持体の帯電領域が第１の現像剤保持体の現像域に到達する時間Ｔ１よりΔＴ前の時間以降に層規制回転体による層規制状態のための駆動を開始する制御動作
(E1)前記像保持体の非帯電領域が第２の現像剤保持体に到達する時間Ｔ４以降に前記現像電圧印加手段による現像電圧の印加動作を停止する制御動作
(E2)前記像保持体の非帯電領域が第１の現像剤保持体の現像域に到達する時間Ｔ３前に層規制回転体による層規制状態の駆動を停止する制御動作
(E3)前記層規制回転体による層規制状態の駆動を停止した後で、前記像保持体の帯電領域の形成が終了した後当該像保持体の非帯電領域が第１の現像剤保持体の現像域に到達する時間Ｔ３までの間は、Ｌｔ／Ｒ１＜Ｌｃ−Ｌ０を満たす制御動作
請求項１２に係る発明は、請求項１１に係る画像形成装置において、前記第１の現像剤保持体が前記像保持体との対向部位にて当該像保持体の移動方向と同方向に移動すると共に、前記第２の現像剤保持体が前記像保持体との対向部位にて当該像保持体の移動方向と逆方向に移動することを特徴とする画像形成装置である。
請求項１３に係る発明は、請求項６ないし１２いずれかに係る画像形成装置において、前記制御手段は、更に、画像形成装置の使用条件に応じて第１の現像剤保持体に対して現像に供する現像剤層を算出し、算出された現像剤層を得るように前記層規制回転体の周速を制御することを特徴とする画像形成装置である。
【発明の効果】
【００１１】
請求項１に係る発明によれば、複数の現像剤保持体に対して現像剤を順次受け渡し、かつ、現像電圧を同時に印加する態様において、現像可能状態に早期に立ち上げると共に、像保持体上に対する不必要なトナーやキャリアの転移現象を抑制することができる。
請求項２に係る発明によれば、複数の現像剤保持体に対して現像剤を夫々供給し、現像電圧を同時に印加する態様において、現像可能状態に早期に立ち上げると共に、像保持体上に対する不必要なトナーやキャリアの転移現象を抑制することができる。
請求項３に係る発明によれば、本構成を有さない態様に比べて、第２の現像剤保持体による現像剤の搬送性をより安定させることができる。
請求項４に係る発明によれば、本構成を有さない態様に比べて、現像に供する現像剤搬送量を簡単に調整することができる。
請求項５に係る発明によれば、２つの現像剤保持体を有する態様に比べて、現像性能をより高めることができる。
請求項６に係る発明によれば、複数の現像剤保持体に対して現像電圧を同時に印加する態様において、現像可能状態に早期に立ち上げると共に、像保持体上に対する不必要なトナーやキャリアの転移現象を抑制することが可能な現像装置を含む画像形成装置を容易に構築することができる。
請求項７に係る発明によれば、複数の現像剤保持体が像保持体との対向部位にて同方向に移動し、複数の現像剤保持体に対して現像剤を順次受け渡し、かつ、現像電圧を同時に印加する態様において、現像可能状態に早期に立ち上げると共に、像保持体上に対する不必要なトナーやキャリアの転移現象を抑制することができる。
請求項８に係る発明によれば、複数の現像剤保持体が像保持体との対向部位にて逆方向に移動し、複数の現像剤保持体に対して現像剤を順次受け渡し、かつ、現像電圧を同時に印加する態様において、現像可能状態に早期に立ち上げると共に、像保持体上に対する不必要なトナーやキャリアの転移現象を抑制することができる。
請求項９に係る発明によれば、複数の現像剤保持体が像保持体との対向部位にて異なる方向に移動すると共に、像保持体の移動方向に対して上流側に第１の現像剤保持体を配設し、複数の現像剤保持体に対して現像剤を夫々供給して層規制し、かつ、現像電圧を同時に印加する態様において、現像可能状態に早期に立ち上げると共に、像保持体上に対する不必要なトナーやキャリアの転移現象を抑制することができる。
請求項１０に係る発明によれば、複数の現像剤保持体が像保持体との対向部位にて異なる方向に移動すると共に、像保持体の移動方向に対して上流側に第１の現像剤保持体を配設し、複数の現像剤保持体に対して現像剤を夫々供給して層規制し、かつ、現像電圧を同時に印加する態様のうち、複数の現像剤保持体の対向部位から像保持体側に向かって吹き出す方向に現像剤を搬送する態様において、現像可能状態に早期に立ち上げると共に、像保持体上に対する不必要なトナーやキャリアの転移現象を抑制することができる。
請求項１１に係る発明によれば、複数の現像剤保持体が像保持体との対向部位にて異なる方向に移動すると共に、像保持体の移動方向に対して下流側に第１の現像剤保持体を配設し、複数の現像剤保持体に対して現像剤を夫々供給して層規制し、かつ、現像電圧を同時に印加する態様において、現像可能状態に早期に立ち上げると共に、像保持体上に対する不必要なトナーやキャリアの転移現象を抑制することができる。
請求項１２に係る発明によれば、複数の現像剤保持体が像保持体との対向部位にて異なる方向に移動すると共に、像保持体の移動方向に対して下流側に第１の現像剤保持体を配設し、複数の現像剤保持体に対して現像剤を夫々供給して層規制し、かつ、現像電圧を同時に印加する態様のうち、複数の現像剤保持体の対向部位から像保持体側に向かって吹き出す方向に現像剤を搬送する態様において、現像可能状態に早期に立ち上げると共に、像保持体上に対する不必要なトナーやキャリアの転移現象を抑制することができる。
請求項１３に係る発明によれば、画像形成装置の使用条件に応じて複数の現像域での現像能力を容易に制御することができる。
【図面の簡単な説明】
【００１２】
【図１】本発明が適用された現像装置を含む画像形成装置の代表的態様１に関する実施の形態の概要を示す説明図である。
【図２】本発明が適用された現像装置を含む画像形成装置の代表的態様２に関する実施の形態の概要を示す説明図である。
【図３】（ａ）（ｂ）は図１及び図２における層規制回転体による現像剤の層規制動作原理を示し、（ａ）は現像剤の層規制時の状態、（ｂ）は現像剤の層規制停止時の状態を示す説明図である。
【図４】（ａ）は現像装置における現像動作原理を模式的に示す説明図、（ｂ）は像保持体への現像剤のかぶり現象の一例であるトナー転移現象によるトナーバンドの生成原理を示す説明図、（ｃ）は像保持体への現像剤のかぶり現象の一例であるキャリア転移現象によるキャリアバンドの生成原理を示す説明図である。
【図５】（ａ）は図１に示す現像装置を用いた現像処理過程を示す説明図、（ｂ）は作像開始時における現像処理開始過程を模式的に示す説明図、（ｃ）は作像終了時における現像処理終了過程を模式的に示す説明図である。
【図６】（ａ）は図２に示す現像装置を用いた現像処理過程を示す説明図、（ｂ）は作像開始時における現像処理開始過程を模式的に示す説明図、（ｃ）は作像終了時における現像処理終了過程を模式的に示す説明図である。
【図７】実施の形態１に係る画像形成装置の全体構成を示す説明図である。
【図８】実施の形態１で用いられる現像装置を示す説明図である。
【図９】（ａ）は実施の形態１で用いられる現像装置の層規制部材のレイアウトを示す説明図、（ｂ）は層規制部材へ作用する磁場の一例を示す説明図である。である。
【図１０】実施の形態１で用いられる現像装置の駆動伝達系を模式的に示す説明図である。
【図１１】（ａ）は実施の形態１で用いられる現像装置における第１の現像ロール上での回転トリマの周速変化に伴うＭＯＳ変化を示す説明図、（ｂ）は回転トリマ周速比とＭＯＳとの関係を示すグラフ図である。
【図１２】（ａ）〜（ｃ）は実施の形態１で用いられる現像装置における第１の現像ロール上での回転トリマの周速ｖｒを変化させたときのＭＯＳ２の変化状態を示す説明図であり、（ａ）はｖｒ＝ｖｒ１のとき、（ｂ）はｖｒ＝ｖｒ２≠ｖｒ１のとき、（ｃ）はｖｒ＝０（又は＜０）のときである。
【図１３】（ａ）は実施の形態１で用いられる現像装置の各部のレイアウト例を示す説明図、（ｂ）は現像剤の受渡し部の構成例を示す説明図である。
【図１４】実施の形態１で用いられる現像装置の駆動制御系を示す説明図である。
【図１５】実施の形態１で用いられる現像装置の駆動制御系で採用される画像情報によるＭＯＳ（Mass on the sleeve）量制御の一例を示すフローチャートである。
【図１６】実施の形態１で用いられる現像装置の駆動制御系で採用される使用履歴情報によるＭＯＳ量制御の一例を示すフローチャートである。
【図１７】実施の形態１で用いられる現像装置の駆動制御系で採用される環境情報によるＭＯＳ量制御の一例を示すフローチャートである。
【図１８】（ａ）〜（ｅ）は実施の形態１で用いられる現像装置の作像開始時（Cycle up）における現像処理開始過程を模式的に示す説明図である。
【図１９】（ａ）〜（ｅ）は実施の形態１で用いられる現像装置の作像終了時（Cycle down）における現像処理終了過程を模式的に示す説明図である。
【図２０】（ａ）〜（ｅ）は比較の形態１で用いられる現像装置の作像開始時（Cycle up）における現像処理開始過程を模式的に示す説明図である。
【図２１】実施の形態２に係る現像装置を示す説明図である。
【図２２】（ａ）は実施の形態２で用いられる現像装置の各部のレイアウト例を示す説明図、（ｂ）は現像剤の受渡し部の構成例を示す説明図である。
【図２３】（ａ）〜（ｅ）は実施の形態２で用いられる現像装置の作像開始時（Cycle up）における現像処理開始過程を模式的に示す説明図である。
【図２４】（ａ）〜（ｅ）は実施の形態２で用いられる現像装置の作像終了時（Cycle down）における現像処理終了過程を模式的に示す説明図である。
【図２５】実施の形態３に係る現像装置を示す説明図である。
【図２６】（ａ）は実施の形態３で用いられる現像装置の各部のレイアウト例を示す説明図、（ｂ）は現像剤の受渡し部の構成例を示す説明図である。
【図２７】（ａ）〜（ｅ）は実施の形態３で用いられる現像装置の作像開始時（Cycle up）における現像処理開始過程を模式的に示す説明図である。
【図２８】（ａ）〜（ｅ）は実施の形態３で用いられる現像装置の作像終了時（Cycle down）における現像処理終了過程を模式的に示す説明図である。
【図２９】実施の形態４に係る現像装置を示す説明図である。
【図３０】（ａ）は実施の形態４で用いられる現像装置の各部のレイアウト例を示す説明図、（ｂ）は現像剤の受渡し部の構成例を示す説明図である。
【図３１】（ａ）〜（ｅ）は実施の形態４で用いられる現像装置の作像開始時（Cycle up）における現像処理開始過程を模式的に示す説明図である。
【図３２】（ａ）〜（ｅ）は実施の形態４で用いられる現像装置の作像終了時（Cycle down）における現像処理終了過程を模式的に示す説明図である。
【図３３】実施の形態５に係る現像装置を示す説明図である。
【図３４】実施の形態６に係る現像装置を示す説明図である。
【図３５】参考の形態に係る現像装置を示す説明図である。
【図３６】（ａ）は実施の形態１に係る現像装置の性能を評価するに当たり、回転トリマと現像スリーブの表面特性との関係を調べるために組み立てられた実験例を示す説明図、（ｂ）は実験例と対比するための比較例を示す説明図である。
【図３７】（ａ）は実験例及び比較例で用いられる現像スリーブ（平滑スリーブ）の表面状態を示す説明図、（ｂ）は実験例及び比較例で用いられる現像スリーブ（ブラストスリーブ）の表面状態を示す説明図、（ｃ）は実験例及び比較例で用いられる現像スリーブ（溝スリーブ）の表面状態を示す説明図である。
【図３８】実験例及び比較例に係る現像装置における現像剤搬送性を評価するに当たって、トリマ、層規制用磁極の磁束密度、現像スリーブ表面を組み合わせたときの夫々のＭＯＳを示す説明図である。
【図３９】実験例に係る現像装置について、現像ロールの現像スリーブとして平滑スリーブＩ、平滑スリーブＩＩ、ブラストスリーブＩ、ブラストスリーブＩＩを用いた態様夫々に関し、回転トリマ周速比とＭＯＳとの関係を示すグラフ図である。
【発明を実施するための形態】
【００１３】
◎実施の形態の概要
本発明が適用される画像形成装置は、図１又は図２に示すように、静電潜像ｚが保持可能で循環移動する像保持体１５と、この像保持体１５に静電潜像ｚを形成するために当該像保持体１５を帯電する帯電装置１６と、この帯電装置１６にて帯電された像保持体１５に静電潜像ｚを形成する潜像形成装置１７と、像保持体１５に形成された静電潜像ｚを現像する現像装置１８と、を備えている。
ここで、像保持体１５としては、静電潜像ｚを形成でき、かつ、トナー像を保持可能であれば、感光体、誘電体は勿論、更には、循環移動する保持体の表面に静電潜像ｚに対応する潜像電圧が印加される画素電極を行列配置した態様など適宜選定して差し支えない。
また、帯電装置１６としては、像保持体１５を帯電するものであれば適宜選定して差し支えなく、例えば像保持体１５が感光体、誘電体である場合には、像保持体１５に対して接触又は非接触な帯電部材を具備する態様など適宜選定して差し支えない。
更に、潜像形成装置１７としては、像保持体１５上に静電潜像ｚを形成するものであれば適宜選定して差し支えなく、例えば像保持体１５が感光体や誘電体である場合には、帯電装置１６にて帯電された像保持体１５に光やイオン等による静電潜像ｚが書込可能な潜像書込装置を具備するものが挙げられ、また、像保持体１５が画素電極を具備した態様にあっては、帯電装置１６による帯電作用を兼用した潜像形成装置１７を用い、夫々の画素電極に対し静電潜像ｚに対応する潜像電圧を直接印加するようにすればよい。
【００１４】
＜現像装置の代表的態様１＞
本実施の形態で用いられる現像装置１８の代表的態様１は、図１に示すように、静電潜像ｚが保持可能で循環移動する像保持体１５に対向して回転可能に設けられ、表面粗さが最大高さで５μｍ以下の平滑面を有すると共に、前記像保持体１５の静電潜像ｚを現像するように前記像保持体１５との対向部位に位置する現像域Ｄ１に向かってトナー及びキャリアが含まれる現像剤を保持して搬送する第１の現像剤保持体１と、前記像保持体１５に対向して設けられ、当該像保持体１５の移動方向に対して前記第１の現像剤保持体１の下流側又は上流側に対向して非接触に配設され、前記像保持体１５の静電潜像ｚを現像するように前記像保持体と１５の対向部位に位置する現像域Ｄ２に向かってトナー及びキャリアが含まれる現像剤を保持して搬送する第２の現像剤保持体２と、前記第１の現像剤保持体１に対して現像剤を供給する現像剤供給手段３と、前記第１の現像剤保持体１に対向して非接触に配置され、前記第１の現像剤保持体１との対向部位にて少なくとも同方向に回転可能に設けられ、当該同方向に回転することで第１の現像剤保持体１上に保持される現像剤層を規制する層規制回転体４と、前記第１及び第２の現像剤保持体１，２の間の対向部位に設けられ、前記第１の現像剤保持体１上に保持された現像剤を第２の現像剤保持体２に受け渡す受渡し手段５と、前記第１及び第２の現像剤保持体１，２並びに現像剤供給手段３を駆動する現像駆動手段１０と、前記第１及び第２の現像剤保持体１，２上に保持された現像剤に対して前記像保持体１５上の静電潜像ｚが現像可能な現像電界を形成するように、前記第１及び第２の現像剤保持体１，２に対して現像電圧を同時に印加する現像電圧印加手段１１と、前記第１の現像剤保持体１との対向部位にて同方向に層規制回転体４を回転させる層規制状態と、前記層規制回転体４を停止又は逆方向に回転させる層規制停止状態とを切り替え可能に駆動する層規制駆動手段１２と、前記第１又は第２の現像剤保持体１，２の現像域Ｄ（Ｄ１，Ｄ２）に現像剤が搬送された状態で、当該現像域Ｄに対応して像保持体１５に静電潜像を形成するために帯電される帯電領域以外の非帯電領域が位置し且つ前記各現像剤保持体１，２に前記現像電圧印加手段１１による現像電圧が印加される条件、及び、第１又は第２の現像剤保持体１，２の現像域Ｄに現像剤が搬送された状態で、当該現像域Ｄに対応して像保持体１５上に静電潜像ｚを形成するために帯電される帯電領域が位置し且つ前記各現像剤保持体１，２に前記現像電圧印加手段１１による現像電圧が印加されない条件を除くように、現像開始から現像終了までの間において、前記現像駆動手段１０及び前記層規制駆動手段１２による駆動対象要素の駆動時期並びに前記現像電圧印加手段１１による現像電圧の印加時期を制御する制御手段１３と、を備ええている。
【００１５】
このような技術的手段において、本実施の形態に係る現像装置１８は、第１及び第２の現像剤保持体１，２を有する態様を前提とするが、少なくともこれらを含んでいれば、更に、別の現像剤保持体を有した態様であってもよい。
また、第１及び第２の現像剤保持体１，２は、表面部が回転し且つ現像剤Ｇを保持して搬送するものであれば適宜選定して差し支えないが、例えば図３（ａ）に示すように、代表的には、回転可能な中空状の現像回転体７と、この現像回転体７内に固定的に内包され且つ周囲に複数の磁極９が配列される磁石部材８と、を有する態様が挙げられる。
ここで、現像回転体７として、剛体の筒状体でもよいし、可撓性薄膜部材でもよい。
また、磁石部材８の磁極９には、現像剤Ｇを搬送する搬送用磁極、像保持体１５と対向する現像域Ｄ（Ｄ１，Ｄ２）に設けられる現像用磁極、層規制回転体４に対向する層規制部位Ｂに設けられる層規制用磁極（図３中９ａで示す磁極に相当）、現像回転体７上の現像剤供給部位に対応した現像吸着部位にて現像剤Ｇを吸着保持する吸着用磁極、現像回転体７上の現像剤剥離部位にて現像剤Ｇを剥離する剥離用磁極などの磁極が配列される。但し、これらの磁極９は単一の機能ではなく、複数の機能を兼用する形で配置されている。
また、本態様において、第２の現像剤保持体２のレイアウトとしては、像保持体１５の移動方向に対して第１の現像剤保持体１の下流側に位置する態様、あるいは、第１の現像剤保持体１の上流側に位置する態様がある。
そして、第１の現像剤保持体１の表面（具体的には現像回転体７の表面）は平滑面７ａであることを要する。ここで、平滑面７ａとしては、表面粗さが最大高さＲｚ（ＪＩＳ  Ｂ０６０１  ２００１の規格に相当）５μｍ以下であることを要件とした。
【００１６】
更に、層規制回転体４は第１の現像剤保持体との対向部位にて少なくとも同方向に回転するものであればよく、第１の現像剤保持体１との間には現像剤Ｇが層規制可能な範囲で予め定めた間隙を確保するようにすればよい。この場合、層規制回転体４の周速は予め定めたものでもよいが、適宜可変設定するようにしてもよい。
また、材質については磁性、非磁性のいずれでも差し支えなく、表面粗さも特には制限がないが、あまり粗くすると、層規制回転体４の表面粗さが現像剤Ｇに対する搬送力に大きく寄与するため、層規制回転体４の周速を可変にするときの第１の現像剤保持体１による現像剤層の変化分が大きくなり過ぎるという懸念がある。このため、表面粗さも例えば最大高さが５μｍ以下の平滑面であることが好ましい。
このような第１の現像剤保持体１と層規制回転体４とを有する層規制方式では、例えば図３（ａ）に示すように、今、層規制回転体４が所定の周速ｖｒ（本例ではｖｒ＝ｖｒ１）で回転しているとすると、第１の現像剤保持体１に保持された現像剤Ｇは、その上部が層規制回転体４の回転に伴う搬送力を受け、層規制回転体４による層規制位置Ｂを所定の搬送量ＭＯＳ１にて通過して現像域Ｄ１へと搬送される。尚、図３（ａ）（ｂ）中ｖｄｃは第１の現像剤保持体１の周速を示す。
一方、層規制回転体４が駆動を停止するか、あるいは、第１の現像剤保持体１に対して逆方向に回転すると、図３（ｂ）に示すように、第１の現像剤保持体１との間の層規制部位Ｂに対し第１の現像剤保持体１に保持された現像剤Ｇは通過できずに遮断され、層規制部位Ｂを通過する現像剤層が略０になる。これは、層規制回転体４によって現像剤層の上部がせき止められ、あるいは、押し戻されるとき、第１の現像剤保持体１の表面が平滑面７ａであることから、現像剤層の下部が第１の現像剤保持体１の平滑面上で滑り、結果として、現像剤層が層規制部位Ｂにて遮断されるものと推測される。
【００１７】
また、現像剤供給手段３としては、第１の現像剤保持体１に対し現像剤Ｇを供給するものであればよく、第１の現像剤保持体１から第２の現像剤保持体２に対しては受渡し手段５にて受け渡すようにすればよい。ここで、受渡し手段５としては、例えば第１及び第２の現像剤保持体１，２の対向部位において、第１の現像剤保持体１に剥離用磁極を配置しておき、これに対向する第２の現像剤保持体２には剥離用磁極と異なる極性の受取り用磁極を配置することで、両者間に現像剤受渡しのための磁場を形成するなど選定して差し支えない。
【００１８】
更に、制御手段１３は、現像駆動手段１０、層規制駆動手段１２による駆動対象要素の駆動時期、現像電圧印加手段１１による現像電圧の印加時期を制御する。
この制御アルゴリズムは、以下の(1)による帯状のトナー付着部（トナーバンド）及び(2)による帯状のキャリア付着部（キャリアバンド）の生成要因を排除することにある。
(1)「第１又は第２の現像剤保持体１，２の現像域Ｄに現像剤が搬送された状態で、当該現像域Ｄに対応して像保持体１５に静電潜像ｚを形成するために帯電される帯電領域以外の非帯電領域が位置し且つ各現像剤保持体１，２に現像電圧印加手段１１による現像電圧が印加される条件」は、現像剤保持体１上のトナーが像保持体１５側に転移し易い条件であり、非画像形成領域に帯状のトナー付着部（トナーバンド）が生成されてしまう。
(2)「第１又は第２の現像剤保持体１，２の現像域Ｄに現像剤が搬送された状態で、当該現像域Ｄに対応して像保持体１５上に静電潜像ｚを形成するために帯電される帯電領域が位置し且つ各現像剤保持体１，２に現像電圧印加手段１１による現像電圧が印加されない条件」は、現像剤保持体１上のキャリアが像保持体１５側に転移し易い条件であり、画像形成領域内に帯状のキャリア付着部（キャリアバンド）が生成されてしまう。
【００１９】
つまり、現像装置１８における現像動作原理は、例えば図４（ａ）に示すように、帯電装置１６にて像保持体１５を予め決められた帯電電位ＶＨに帯電し、この帯電領域Ｅ（ＶＨ）に潜像電位ＶＬの静電潜像ｚを形成する一方、現像剤保持体１又は２には予め決められた現像電圧ＶＤ（｜ＶＬ｜＜｜ＶＤ｜＜｜ＶＨ｜）を印加し、像保持体１５上の静電潜像ｚに現像剤保持体１又は２上の現像剤ＧのトナーＴを転移させることでトナー像として現像するようにしたものである。
これに対し、上述した(1)に示すトナーバンドの生成原理は、例えば図４（ｂ）に示すように、現像域Ｄに現像剤Ｇが搬送された状態で、像保持体１５の帯電領域Ｅ以外の非帯電領域Ｘの電位Ｖ０は略０であり、この非帯電領域Ｘが現像域Ｄに到達し、かつ、現像剤保持体１又は２に現像電圧ＶＤが印加されると、現像剤保持体１又は２と像保持体１５の非帯電領域Ｘとの間の電位差｜ＶＤ−Ｖ０｜は、現像動作時における現像剤保持体１又は２と像保持体１５の潜像電位との間の電位差｜ＶＤ−ＶＬ｜に比べて｜ＶＤ−Ｖ０｜＞｜ＶＤ−ＶＬ｜の関係にあることから、現像剤保持体１又は２上の現像剤Ｇのうち負極性のトナーは像保持体１５の非帯電領域Ｘに転移し易く、非帯電領域ＸにトナーバンドＴＢが生成され易い。
また、上述した(2)に示すキャリアバンドの生成原理は、例えば図４（ｃ）に示すように、現像域Ｄに現像剤Ｇが搬送された状態で、像保持体１５の帯電領域Ｅが現像域Ｄに到達し、かつ、現像剤保持体１又は２に現像電圧ＶＤが印加されないと、現像剤保持体１又は２の電位Ｖ０は略０であり、現像剤保持体１又は２と像保持体１５の帯電領域Ｅとの間の電位差｜ＶＨ−Ｖ０｜は、現像動作時における現像剤保持体１又は２と像保持体１５の帯電領域Ｅとの間の電位差｜ＶＨ−ＶＤ｜に比べて｜ＶＨ−Ｖ０｜＞｜ＶＨ−ＶＤ｜の関係にあることから、現像剤保持体１又は２上の現像剤Ｇのうち正極性のキャリアは像保持体１５の帯電領域Ｅに転移し易く、帯電領域ＥにキャリアバンドＣＢが生成され易い。
【００２０】
＜現像装置の代表的態様２＞
本実施の形態で用いられる現像装置１８の代表的態様２は、図２に示すように、静電潜像ｚが保持可能で循環移動する像保持体１５に対向して回転可能に設けられ、表面粗さが最大高さで５μｍ以下の平滑面を有すると共に、前記像保持体１５の静電潜像ｚを現像するように前記像保持体１５との対向部位に位置する現像域Ｄ１に向かってトナー及びキャリアが含まれる現像剤を保持して搬送する第１の現像剤保持体１と、前記像保持体１５に対向して設けられ、当該像保持体１５の移動方向に対して前記第１の現像剤保持体１の下流側又は上流側に対向して非接触に配設され、前記第１の現像剤保持体１との対向部位にて前記第１の現像剤保持体１と同方向に回転し、前記像保持体１５の静電潜像ｚを現像するように前記像保持体１５との対向部位に位置する現像域Ｄ２に向かってトナー及びキャリアが含まれる現像剤を保持して搬送する第２の現像剤保持体２と、前記第１及び第２の現像剤保持体１，２に対して夫々現像剤を供給する現像剤供給手段３と、前記第１の現像剤保持体１に対向して非接触に配置され、前記第１の現像剤保持体１との対向部位にて少なくとも同方向に回転可能に設けられ、当該同方向に回転することで第１の現像剤保持体１上に保持される現像剤層を規制する層規制回転体４と、前記第２の現像剤保持体２に対向して非接触に固定的に配置され、前記第２の現像剤保持体２に保持される現像剤層を規制する層規制固定体６と、前記第１及び第２の現像剤保持体１，２並びに現像剤供給手段３を駆動する現像駆動手段１０と、前記第１及び第２の現像剤保持体１，２上に保持された現像剤に対して前記像保持体１５上の静電潜像ｚが現像可能な現像電界を形成するように、前記第１及び第２の現像剤保持体１，２に対して現像電圧を同時に印加する現像電圧印加手段１１と、前記第１の現像剤保持体１との対向部位にて同方向に層規制回転体４を回転させる層規制状態と、前記層規制回転体４を停止又は逆方向に回転させる層規制停止状態とを切り替え可能に駆動する層規制駆動手段１２と、前記第１又は第２の現像剤保持体１，２の現像域Ｄ（Ｄ１，Ｄ２）に現像剤が搬送された状態で、当該現像域Ｄに対応して像保持体１５上に静電潜像ｚを形成するために帯電される帯電領域以外の非帯電領域が位置し且つ前記各現像剤保持体１，２に前記現像電圧印加手段１１による現像電圧が印加される条件、及び、第１又は第２の現像剤保持体１，２の現像域Ｄに現像剤が搬送された状態で、当該現像域Ｄに対応して像保持体１５上に静電潜像ｚを形成するために帯電される帯電領域が位置し且つ前記各現像剤保持体１，２に前記現像電圧印加手段１１による現像電圧が印加されない条件を除くように、現像開始から現像終了までの間において、前記現像駆動手段１０及び前記層規制駆動手段１２による駆動対象要素の駆動時期並びに前記現像電圧印加手段１１による現像電圧の印加時期を制御する制御手段１３と、を備えている。
【００２１】
このような技術的手段において、本態様は、代表的態様１と異なり、第１の現像剤保持体１（平滑面７ａを具備）、第２の現像剤保持体２、第１及び第２の現像剤保持体１，２へ現像剤を供給する現像剤供給手段３、第１の現像剤保持体１への現像剤を層規制する層規制回転体４、第２の現像剤保持体２への現像剤を層規制する層規制固定体６を備えた態様を前提とする。
本態様において、第２の現像剤保持体２のレイアウトとしては、像保持体１５の移動方向に対して第１の現像剤保持体１の下流側に位置する態様、あるいは、第１の現像剤保持体１の上流側に位置する態様がある。
また、第１及び第２の現像剤保持体１，２に対する現像剤の搬送方向については、両方の現像剤保持体１，２の対向部位から像保持体１５に向かって吹き出す方向に搬送する態様、あるいは、像保持体１５から両方の現像剤保持体１，２の対向部位に向かって吸い込む方向に搬送する態様がある。
更に、第１の現像剤保持体１の表面は平滑面７ａを有し、これに対向して層規制回転体４が設けられており、層規制回転体４による現像剤の層規制原理は代表的態様１と同様である。また、第２の現像剤保持体２は現像剤を搬送可能な表面を有し、これに対向して層規制固定体６が予め決められた間隙を介して固定的に設けられている。
更にまた、制御手段１３は、現像駆動手段１０、層規制駆動手段１２による駆動対象要素の駆動時期、現像電圧印加手段１１による現像電圧の印加時期を上述した代表的態様１と同様な制御アルゴリズムに従って制御するようにすればよい。
【００２２】
次に、現像装置１８の代表的態様１，２における好ましい態様、更に拡張した態様について説明する。
先ず、第２の現像剤保持体２の好ましい態様としては、第１の現像剤保持体１の表面より算術平均粗さ又は十点平均粗さで粗い表面粗さの表面（粗面）を有している態様が挙げられる。
本態様では、第２の現像剤保持体２は層規制回転体４により層規制された現像剤を受け取った後、あるいは、層規制固定体６により層規制された現像剤を保持搬送する必要があることから、表面粗さがある程度粗い方が現像剤搬送性に対しては有効である。
また、制御手段１３の好ましい態様としては、第１の現像剤保持体１上の現像剤層を可変設定するように層規制回転体４の周速を制御する態様が挙げられる。
本態様によれば、層規制回転体４の周速を制御することで第１の現像剤保持体１上の現像剤層を可変設定し、現像域Ｄに供する現像剤搬送量を調整することができる。この動作原理は、例えば層規制回転体４の周速が増加すると、現像剤の上部に与える層規制回転体４の回転に伴う搬送力が増加する分、現像剤搬送量が増加する一方、層規制回転体４の周速が減少すると、現像剤の上部に与える層規制回転体４の回転に伴う搬送力が減少する分、現像剤搬送量が減少するということに基づくものである。
【００２３】
更に、現像装置１８の代表的態様１，２は二つの現像剤保持体１，２を備えたものであるが、これに加えて追加現像剤保持体を備えて拡張するようにしてもよい。
この種の拡張型の現像装置としては、前記第１又は第２の現像剤保持体１,２とは別に追加するように像保持体１５に対向して回転可能に設けられ、前記像保持体１５の静電潜像ｚを現像するように前記像保持体１５との対向部位に位置する現像域に向かってトナー及びキャリアが含まれる現像剤を保持して搬送する一若しくは複数の追加現像剤保持体（図示せず）と、これらの追加現像剤保持体と第１又は第２の現像剤保持体１，２との間、あるいは、複数の追加現像剤保持体の間に設けられ、前記層規制回転体４又は層規制固定体６で層規制された後の現像剤を受け渡す受渡し手段（図示せず）と、を備え、前記現像駆動手段１０は、前記第１及び第２の現像剤保持体１，２並びに現像剤供給手段３の他に更に前記追加現像剤保持体をも駆動対象とし、前記現像電圧印加手段１１は、前記第１及び第２の現像剤保持体１，２に加えて更に前記追加現像剤保持体をも現像電圧の印加対象とし、前記制御手段１３は、前記第１、第２の現像剤保持体１，２及び前記追加現像剤保持体のいずれかの現像域に現像剤が搬送された状態で、当該現像域に対応して像保持体１５上に静電潜像ｚを形成するために帯電される帯電領域以外の非帯電領域が位置し且つ前記各現像剤保持体に前記現像電圧印加手段１１による現像電圧が印加される条件、並びに、第１、第２の現像剤保持体１，２及び追加現像剤保持体のいずれかの現像域に現像剤が搬送された状態で、当該現像域に対応して像保持体１５上に静電潜像を形成するために帯電される帯電領域が位置し且つ前記各現像剤保持体に前記現像電圧印加手段１１による現像電圧が印加されない条件を除くように、現像開始から現像終了までの間において、前記現像駆動手段１０及び前記層規制駆動手段１２による駆動対象要素の駆動時期並びに前記現像電圧印加手段１１による現像電圧の印加時期を制御するようにしたものが挙げられる。
本態様においては、追加現像剤保持体の数は一つに限られず複数であってもよい。ここで、複数設ける態様では、第１又は第２の現像剤保持体１，２と隣り合う位置に複数の追加現像剤保持体を並べて設けてもよいし、両方の現像剤保持体１，２の隣り合う位置に複数の追加現像剤保持体を分けて設けるようにしてもよい。
また、受渡し手段は、層規制回転体４又は層規制固定体６で層規制された後の現像剤を受け渡すものであればよく、代表的態様１の受渡し手段５と同様に、代表的には相対向する現像剤保持体の対向部位の磁極構成を工夫することで生成される磁場に基づいて現像剤を受け渡すようにする等適宜選定して差し支えない。
【００２４】
次に、現像装置１８の代表的態様１，２を備えた画像形成装置の作像開始時又は作像終了時の制御動作例を示す。
＜現像装置の代表的態様１を備えた画像形成装置＞
これは、図５（ａ）に示すように、第１及び第２の現像剤保持体１，２が像保持体１５との対向部位にて当該像保持体１５の移動方向と同方向に移動すると共に、像保持体１５の移動方向に対し第２の現像剤保持体２が第１の現像剤保持体１の下流側に位置する態様を例に示す。
ここで、図５（ａ）中の符号について説明すると、
Ｔ１：像保持体１５の帯電領域Ｅ（図５（ｂ）（ｃ）参照）が第１の現像剤保持体１の現像域Ｄ１に到達する時間
ΔＴ：層規制回転体４が回転駆動を開始してから第１の現像剤保持体１に現像剤Ｇを保持搬送して当該現像剤Ｇが第１の現像剤保持体１の現像域Ｄ１に到達するまでに要する時間
Ｔ２：像保持体１５の帯電領域Ｅが第２の現像剤保持体２の現像域Ｄ２に送達する時間
Ｔ３：像保持体１５の非帯電領域Ｘ（図５（ｂ）（ｃ）参照）が第１の現像剤保持体１の現像域Ｄ１に到達する時間
Ｔ４：像保持体１５の非帯電領域Ｘが第２の現像剤保持体２の現像域Ｄ２に到達する時間
Ｌ０：第１の現像剤保持体１の現像域Ｄ１から第２の現像剤保持体２の現像域Ｄ２までの像保持体１５の移動距離
Ｌ１：第１の現像剤保持体１の現像域Ｄ１から第２の現像剤保持体２への現像剤受渡し部位までの第１の現像剤保持体１の周長
Ｌ２：第２の現像剤保持体２への現像剤受渡し部位から第２の現像剤保持体２の現像域Ｄ２までの第２の現像剤保持体の周長
ｖｐ：像保持体の周速
ｖｄ１：第１の現像剤保持体１の周速
ｖｄ２：第２の現像剤保持体２の周速
Ｒ１：第１の現像剤保持体１の像保持体１５の周速ｖｐに対する周速比
Ｒ２：第２の現像剤保持体２の像保持体１５の周速ｖｐに対する周速比
Ｌｔ：層規制回転体４による層規制部位Ｂから現像域Ｄ１に至るまでの第１の現像剤保持体１の周長
Ｌｃ：帯電装置１６による帯電部位から第１の現像剤保持体１の現像域Ｄ１に至るまでの像保持体１５の周長
【００２５】
本例では、制御手段１３は、図５（ａ）（ｂ）に示すように、作像開始時には以下の制御動作（条件Ｓ１〜Ｓ３）を実施する。
条件Ｓ１：像保持体１５の帯電領域Ｅが第１の現像剤保持体１の現像域Ｄ１に到達する時間Ｔ１前に現像電圧印加手段１１による現像電圧を印加する制御動作
条件Ｓ２：前記Ｔ１よりΔＴ前の時間以降に層規制回転体４による層規制状態のための駆動を開始する制御動作
条件Ｓ３：前記Ｔ１以後で、像保持体１５の帯電領域Ｅが第２の現像剤保持体２の現像域Ｄ２に到達する時間Ｔ２までの間は、Ｌ１／Ｒ１＋Ｌ２／Ｒ２＞Ｌ０を満たす制御動作
つまり、作像開始時には、現像剤保持体１，２の周速を低下させることで、像保持体１５の帯電領域Ｅが第２の現像剤保持体２の現像域Ｄ２に到達してから、第２の現像剤保持体２の現像域Ｄ２に現像剤層が供給されるようにすることで、第２の現像剤保持体２の現像域Ｄ２でのキャリアバンドの生成を防止しようとするものである。
また、制御手段１３は、図５（ａ）（ｃ）に示すように、作像終了時には以下の制御動作（条件Ｅ１〜Ｅ３）を実施する。
条件Ｅ１：像保持体１５の非帯電領域Ｘが第１の現像剤保持体１の現像域Ｄ１に到達する時間Ｔ３前に層規制回転体４による層規制状態の駆動を停止する制御動作
条件Ｅ２：層規制回転体４による層規制状態の駆動を停止した後で、像保持体１５の帯電領域Ｅの形成が終了した後当該像保持体１５の非帯電領域Ｘが第１の現像剤保持体１の現像域Ｄ１に到達する時間Ｔ３までの間は、Ｌｔ／Ｒ１＜Ｌｃを満たす制御動作
条件Ｅ３：前記Ｔ３以後では、Ｌ１／Ｒ１＋Ｌ２／Ｒ２＜Ｌ０を満たす制御動作
つまり、作像終了時には、帯電装置１６による帯電部位から第１の現像剤保持体１の現像域Ｄ１に至るまでの像保持体１５の周長Ｌｃと、層規制回転体４による層規制部位Ｂから現像域Ｄ１に至るまでの第１の現像剤保持体１の周長Ｌｔとの関係を規定し、像保持体１５の非帯電領域Ｘが現像域Ｄに到達する前に、現像剤保持体１，２の現像域Ｄに対応する部位から現像剤を除去することで、各現像域Ｄでのトナーバンドの生成を防止しようとするものである。
尚、現像装置１８の代表的態様１には、第１及び第２の現像剤保持体１，２が像保持体１５との対向部位にて逆方向に移動する態様もあるが、これについては、実施の形態２の中で詳述することとし、ここでの説明は省略する。
【００２６】
＜現像装置の代表的態様２を備えた画像形成装置＞
これは、図６（ａ）に示すように、像保持体１５の移動方向に対し第２の現像剤保持体２が第１の現像剤保持体１より下流側に配置され、第１の現像剤保持体１が像保持体１５との対向部位にて逆方向に、第２の現像剤保持体２が同方向に移動し、複数の現像剤保持体１，２の対向部位から像保持体１５側に向かって吹き出す方向に現像剤を搬送する態様（所謂吹き出し型）を例に示す。
ここで、図６（ａ）中の符号について説明すると、
Ｔ１：像保持体１５の帯電領域Ｅ（図５（ｂ）（ｃ）参照）が第１の現像剤保持体の現像域Ｄ１に到達する時間
ΔＴ：層規制回転体４が回転駆動を開始してから第１の現像剤保持体１に現像剤Ｇを保持搬送して当該現像剤Ｇが第１の現像剤保持体１の現像域Ｄ１に到達するまでに要する時間
Ｔ２：像保持体１５の帯電領域Ｅが第２の現像剤保持体２の現像域Ｄ２に送達する時間１Ｔ３：像保持体１５の非帯電領域Ｘ（図５（ｂ）（ｃ）参照）が第１の現像剤保持体１の現像域Ｄ１に到達する時間
Ｔ４：像保持体１５の非帯電領域Ｘが第２の現像剤保持体２の現像域Ｄ２に到達する時間
ｖｐ：像保持体１５の周速
ｖｄ１：第１の現像剤保持体１の周速
ｖｄ２：第２の現像剤保持体２の周速
Ｒ１：第１の現像剤保持体１の像保持体１５の周速ｖｐに対する周速比
Ｌｔ：層規制回転体４による層規制部位Ｂから現像域Ｄ１に至るまでの第１の現像剤保持体１の周長
Ｌｃ：帯電装置１６による帯電部位から第１の現像剤保持体１の現像域Ｄ１に至るまでの像保持体１５の周長
【００２７】
本例では、制御手段１３は、図６（ａ）（ｂ）に示すように、作像開始時には以下の制御動作（条件Ｓ１〜Ｓ２）を実施する。
条件Ｓ１：像保持体１５の帯電領域Ｅが第２の現像剤保持体２の現像域Ｄ２に到達する時間Ｔ２以降に現像電圧印加手段１１による現像電圧を印加する制御動作
条件Ｓ２：前記Ｔ２よりΔＴ前の時間以降に層規制回転体４による層規制状態のための駆動を開始する制御動作
つまり、作像開始時には、像保持体１５の帯電領域Ｅが第１及び第２の現像剤保持体１，２の現像域Ｄ（Ｄ１，Ｄ２）に到達するときに、現像電圧を印加した状態にしておき、これと同時又はその後に、各現像域Ｄに現像剤層が供給されるようにすることで、各現像域Ｄでのキャリアバンドの生成を防止しようとするものである。
また、制御手段１３は、図５（ａ）（ｃ）に示すように、作像終了時には以下の制御動作（条件Ｅ１〜Ｅ３）を実施する。
条件Ｅ１：像保持体１５の非帯電領域Ｘが第１の現像剤保持体１の現像域Ｄ１に到達する時間Ｔ３前に層規制回転体４による層規制状態の駆動を停止する制御動作
条件Ｅ２：像保持体１５の非帯電領域Ｘが第２の現像剤保持体２に到達する時間Ｔ４以降に現像電圧印加手段１１による現像電圧の印加動作を停止する制御動作
条件Ｅ３：層規制回転体４による層規制状態の駆動を停止した後で、像保持体１５の帯電領域Ｅの形成が終了した後当該像保持体１５の非帯電領域Ｘが第１の現像剤保持体１の現像域Ｄ１に到達する時間Ｔ３までの間は、Ｌｔ／Ｒ１＜Ｌｃを満たす制御動作
つまり、作像終了時には、帯電装置１６による帯電部位から第１の現像剤保持体１の現像域Ｄ１に至るまでの像保持体１５の周長と、層規制回転体４による層規制部位から現像域Ｄ１に至るまでの第１の現像剤保持体１の周長との関係を規定し、像保持体１５の非帯電領域Ｘが第１の現像剤保持体１の現像域Ｄ１に到達する前に、第１の現像剤保持体１の現像域Ｄ１に対応する部位から現像剤を除去することで、第１の現像剤保持体１の現像域Ｄ１でのトナーバンドの生成を防止しようとするものである。
【００２８】
尚、代表的態様２には、上述した態様以外に、像保持体１５の移動方向に対し第２の現像剤保持体２が第１の現像剤保持体１の上流側に配置され、第１の現像剤保持体１が像保持体１５との対向部位にて同方向に、第２の現像剤保持体２が逆方向に移動する所謂吹き出し型の態様もあるが、これについては、実施の形態４の中で詳述することとし、ここでの説明は省略する。更に、代表的態様２には、第１及び第２現像剤保持体１,２が像保持体１５との対向部位にて異なる方向に移動すると共に、像保持体１５側から複数の現像剤保持体１，２の対向部位に向かって吸い込む方向に現像剤を搬送する態様（所謂吸い込み型）もあるが、これらについては、上述した吹き出し型の態様と現像剤の搬送方向が相違するだけで、吹き出し型の態様と略同様に制御手段１３による制御動作を実施するようにすればよい。
【００２９】
更に、この種の画像形成装置にあっては、画像形成装置の使用条件に応じて現像性能を可変設定する態様にしてもよいことは勿論である。
この場合、制御手段１３は、更に、画像形成装置の使用条件に応じて第１の現像剤保持体１に対して現像に供する現像剤層を算出し、算出された現像剤層を得るように層規制回転体４の周速を制御するようにすればよい。
ここで、画像形成装置の使用条件としては、例えば以下のものが挙げられる。
・画像情報（像密度）
・使用履歴情報（プリント枚数）
・環境情報（温度・湿度）
（１）現像すべき静電潜像に関する画像情報、例えば文字等の細線重視の画像又は高濃度画像に対して最適な現像剤層を算出し、細密画像又は高濃度画像の両者の画質向上が可能である。
（２）使用履歴情報（例えば作像枚数）や環境情報に起因して現像剤の帯電特性が変化したとしても、これに対応する最適な現像剤層を算出することにより現像特性を補正することが可能である。
【００３０】
以下、添付図面に示す実施の形態に基づいて本発明をより詳細に説明する。
◎実施の形態１
−画像形成装置の全体構成−
図７は実施の形態１に係る画像形成装置の全体構成を示す説明図である。
同図において、画像形成装置３０は、像保持体としてのドラム状の感光体３１と、この感光体３１を帯電する帯電装置３２と、この帯電装置３２で帯電された感光体３１に静電潜像を光にて書き込む露光装置３３と、感光体３１上に書き込まれた静電潜像を現像剤（トナー）にて可視像化する現像装置３４と、この現像装置３４にて可視像化されたトナー像を転写媒体としての記録材３８に転写する転写装置３５と、この転写装置３５にて転写された後に感光体３１上に残留する残留トナーを清掃する清掃装置３６と、を備えている。
そして、本例では、記録材３８に転写された転写像は図示外の定着装置にて定着された後に排出される。尚、本例では、転写媒体としては記録材３８が例示されているが、これに限られることなく、記録材３８に転写する前に一時的にトナー像を保持する中間転写体をも含む。
【００３１】
ここで、帯電装置３２としては例えばロール状の帯電部材を用いたものが採用されているが、これに限られるものではなく、帯電容器内に帯電部材として放電ワイヤ及びグリッド電極を配設したもの等適宜選定して差し支えない。
また、露光装置３３としては、レーザ走査装置やＬＥＤアレイなどが使用される。
更に、現像装置３４としては、トナー及びキャリアが含まれる二成分現像剤を用いた二成分現像方式が採用されたものが用いられる。尚、現像装置３４の詳細については後述する。
更にまた、転写装置３５としては、感光体３１上のトナー像を記録材３８側に静電転写させる転写電界を作用させるものであればよく、例えば転写バイアスが印加されるロール状の転写部材が用いられるが、これに限られるものではなく、放電ワイヤを用いた転写コロトロンなど適宜選定して差し支えない。
また、清掃装置３６は、感光体３１側が開口し且つ残留トナーが収容される清掃容器３６０を有し、この清掃容器３６０の開口のうち感光体３１回転方向下流側縁にブレードやスクレーパ等の板状清掃部材３６１を配設すると共に、この板状清掃部材３６１の感光体３１の回転方向上流側にはブラシ状又はロール状の回転清掃部材３６２を配設し、前記清掃容器３６０の開口のうち感光体３１回転方向上流側縁に封止用のシール部材３６３を設け、更に、清掃容器３６０内の回転清掃部材３６２の下方には清掃された残留トナーを廃棄回収するために搬送する搬送部材３６４（例えば回転軸部材の周囲に螺旋羽根を設けた態様）を配設したものである。
【００３２】
−現像装置−
本実施の形態において、現像装置３４は、図７及び図８に示すように、感光体３１側が開口し且つトナー及びキャリアを含む二成分現像剤が収容される現像容器４０を有し、この現像容器４０の感光体３１に面した箇所に現像剤Ｇが保持搬送可能な複数（本例では二つ）の現像ロール４１，４２を上下に並べて配設すると共に、現像容器４０内の現像ロール４１，４２の背面側にはトナーを摩擦帯電するために現像剤Ｇが撹拌搬送せしめられる撹拌搬送部材４３，４４を上下に並べて配設し、撹拌搬送部材４３，４４にて撹拌搬送された現像剤Ｇを一方の現像ロール４１に供給し、現像ロール４１上に保持された現像剤Ｇを層規制部材４５にて層規制した後に感光体３１に対向する現像域Ｄ１に現像剤Ｇを搬送した後、各現像ロール４１，４２間に設けられた図示外の受渡し部を介して他方の現像ロール４２側に現像剤Ｇを受け渡し、更に、現像ロール４２上に保持された現像剤Ｇを感光体３１に対向する現像域Ｄ２に搬送するようにしたものである。
ここで、現像容器４０は、図７、図８及び図１０に示すように、現像ロール４１，４２の軸方向に沿って延びる仕切板４８にて内部空間である現像室４７を仕切り、この仕切板４８の長手方向両端付近に夫々通孔４９，５０を開設し、前記仕切板４８で仕切られた現像室４７には例えば回転軸部材５１の周囲に螺旋羽根５２が設けられる前記撹拌搬送部材４３，４４を配設し、この撹拌搬送部材４３，４４及び通孔４９，５０にて現像剤Ｇを循環搬送するようになっている。
尚、現像容器４０の開口周縁には封止用のシール部材（図示せず）が設けられている。
【００３３】
本実施の形態では、複数の現像ロール４１，４２は、いずれも感光体３１との対向部位にて感光体３１と同方向（With方向）に回転可能に設けられ、これらの現像ロール４１，４２のうち、感光体３１の回転方向上流側に位置する現像ロール４１を第１の現像ロールと称し、感光体３１の回転方向下流側に位置する現像ロール４２を第２の現像ロールと称する。
＜第１の現像ロール＞
本例では、第１の現像ロール４１は現像域Ｄ１にて感光体３１との間に間隙を介して非接触配置されているが、当該間隙は、前記現像域Ｄ１に対し第１の現像ロール４１上に現像に必要な現像剤搬送量ＭＯＳ１（ＭＯＳ：Mass on the sleeveの略）を有する場合には感光体３１と第１の現像ロール４１との間に現像剤Ｇが充填される程度に選定されている。
そして、第１の現像ロール４１は、例えば図９（ａ）に示すように、非磁性材料（例えばＳＵＳ３０４等）にて筒状に形成され且つ例えば周速ｖｄ１にて回転可能な現像スリーブ６１と、この現像スリーブ６１内に固定的に内包される磁石ロール６２とを備えている。
本実施の形態において、現像スリーブ６１は、その表面に平滑面６５を有している。この平滑面６５は、例えば非磁性材料からなる現像スリーブ６１の素管の表面に対し研磨処理を施すことで形成されており、表面粗さが最大高さＲｚ（ＪＩＳ  Ｂ０６０１  ２００１）で５μｍ以下の値に選定されている。
また、磁石ロール６２は、図８及び図９（ａ）に示すように、非磁性のロール部材６３の周囲に複数の磁極６４（本例では５つの磁極６４ａ〜６４ｅ）を配列したもので、具体的には、前記現像域Ｄ１に対応して現像剤Ｇを現像に供する現像用磁極６４ａ（本例ではＮ極）、前記層規制部材４５による層規制部位Ｂに対応して現像剤層を規制する層規制用磁極６４ｂ（本例ではＳ極）、更には、この層規制用磁極６４ｂの現像剤搬送方向の上流側には第１の現像ロール４１に現像剤Ｇを吸着保持する吸着用磁極６４ｃ（本例ではＮ極）、そして更に、現像用磁極６４ａの現像剤搬送方向の下流側には現像剤Ｇを搬送する搬送用磁極６４ｅ（本例ではＮ極）、この搬送用磁極６４ｅの現像剤搬送方向の下流側には当該搬送用磁極６４ｅとの間に反発磁界が形成されて第１の現像ロール４１の現像剤Ｇを剥離する剥離用磁極６４ｄ（本例ではＮ極）を配置したものである。尚、現像用磁極６４ａ、層規制用磁極６４ｂ、吸着用磁極６４ｃ、剥離用磁極６４ｄが隣り合う異なる極性の磁極との間では搬送用磁極として機能するものである。
そして、磁石ロール６２の磁極６４（６４ａ〜６４ｅ）による磁束密度分布Ｗは、例えば図９（ｂ）に示すように、現像スリーブ６１が回転したときに現像スリーブ６１上の現像剤Ｇを前記磁束密度分布Ｗによる磁力で保持搬送できる程度に選定されている。尚、第２の現像ロール４２においても同様の観点で磁束密度分布が選定されている。
【００３４】
＜第２の現像ロール＞
本実施の形態では、第２の現像ロール４２は現像域Ｄ２にて感光体３１との間に間隙を介して非接触配置されているが、当該間隙は、前記現像域Ｄ２に対し第２の現像ロール４２上に現像に必要な現像剤搬送量ＭＯＳ２（ＭＯＳ：Mass on the sleeveの略）を有する場合には感光体３１と第２の現像ロール４２との間に現像剤Ｇが充填される程度に選定されている。
本実施の形態において、現像スリーブ６１は、第１の現像ロール４１との対向部位にて当該第１の現像ロール４１の現像スリーブ６１と逆方向に例えば周速ｖｄ２にて回転するようになっている。
ここで、ＭＯＳ２は第１の現像ロール４１上に保持された現像剤Ｇが受け渡されることに基づいて決まるものであり、第１、第２の現像ロール４１，４２の周速が同程度に設定される場合には、ＭＯＳ１≒ＭＯＳ２の関係を満たすものである。
また、現像スリーブ６１は、図９（ａ）に示すように、その表面に粗面６６を有している。この粗面６６は、例えば非磁性材料からなる現像スリーブ６１の素管の表面に対しブラスト処理を施したり、例えば軸方向に延びる溝を設けることで形成されており、表面粗さＳａ１が最大高さＲｚ（ＪＩＳ  Ｂ０６０１  ２００１）で５μｍを超える値、好ましくは十点平均粗さＲｚｊｉｓ（ＪＩＳ  Ｂ０６０１  ２００１）で１０〜３０μｍ程度に選定されている。
また、磁石ロール６２は、図９（ａ）に示すように、第１の現像ロール４１と略同様に、非磁性のロール部材６３の周囲に複数の磁極６４（本例では５つの磁極６４ａ，６４ｃ〜６４ｆ）を配列したもので、具体的には、前記現像域Ｄ２に対応して現像剤Ｇを現像に供する現像用磁極６４ａ（本例ではＳ極）、この現像用磁極６４ａの現像剤搬送方向の上流側で第１の現像ロール４１との対向部位には現像剤Ｇを吸着保持する吸着用磁極６４ｃ（本例ではＮ極）、そして、現像用磁極６４ａの現像剤搬送方向の下流側には現像剤Ｇを搬送するための搬送用磁極６４ｆ（本例ではＮ極）、６４ｅ（本例ではＳ極）、更に、搬送用磁極６４ｅの現像剤搬送方向の下流側には当該搬送用磁極６４ｅとの間に反発磁界が生成されて第２の現像ロール４２上の現像剤Ｇを剥離する剥離用磁極６４ｄ（本例ではＳ極）を配置したものである。尚、現像用磁極６４ａ、吸着用磁極６４ｃ、剥離用磁極６４ｄが隣り合う異なる極性の磁極との間では搬送用磁極として機能するものである。
【００３５】
＜現像剤受渡し部＞
特に、本実施の形態では、図１３（ａ）に示すように、第１及び第２の現像ロール４１，４２の対向部位には現像剤受渡し部１１０が形成されている。この現像剤受渡し部１１０は、例えば図１３（ｂ）に示すように、第１の現像ロール４１の搬送用磁極６４ｅ（本例ではＳ極）及び剥離用磁極６４ｄ（本例ではＳ極）により生成される反発磁界にて第１の現像ロール４１から現像剤Ｇを剥離し、第２の現像ロール４２の前述した反発磁界に対向する部位には反発磁界を生成する磁極とは異なる極性の吸着用磁極６４ｃ（本例ではＮ極）を配置し、第１の現像ロール４１から現像剤Ｇを受け取るようにしたものである。
＜現像用電源＞
そして、第１及び第２の現像ロール４１，４２における現像スリーブ６１には、図８に示すように、現像電圧を印加する現像用電源６７が接続されており、現像動作時には各現像ロール４１，４２に同時に現像電圧が印加され、各現像ロール４１，４２と感光体３１との間の現像域Ｄ（Ｄ１，Ｄ２）に現像電界が形成されるようになっている。
【００３６】
＜層規制部材＞
層規制部材４５は、図７、図８及び図９（ａ）に示すように、回転可能なロール状部材（以下必要に応じて回転トリマと称する）からなり、第１の現像ロール４１の現像スリーブ６１との対向部位では当該現像スリーブ６１と同方向に回転するようになっている。
そして、この層規制部材（回転トリマ）４５は、第１の現像ロール４１の現像スリーブ６１の表面との間に予め決められた間隙ＴＧを介して現像スリーブ６１に対し非接触配置されている。この間隙ＴＧは、第１の現像ロール４１の現像域Ｄ１に供されるべき現像剤搬送量ＭＯＳ１を得ることができるように、例えば０．０３５〜１．５ｍｍの範囲で適宜選定される。
この層規制部材（回転トリマ）４５は非磁性材料（例えばＳＵＳ３０４）又は磁性材料（例えばＳＵＳ４１６）にて形成されており、表面に平滑面４５ａを有している。この平滑面４５ａは、例えば層規制部材（回転トリマ）４５の素管の表面に対し研磨処理を施すことで形成されており、表面粗さが最大高さＲｚ（ＪＩＳ  Ｂ０６０１  ２００１）で５μｍ以下の値に選定されている。
【００３７】
また、層規制部材（回転トリマ）４５は、図９（ａ）（ｂ）に示すように、第１の現像ロール４１の層規制用磁極６４ｂに対応した層規制部位Ｂ１（Ｂ）に設けられていればよい。本例では、層規制部材（回転トリマ）４５と第１の現像ロール４１との層規制部位Ｂ１（Ｂ）の最近接部位は、層規制用磁極６４ｂのピーク磁力位置に対してｋだけ現像剤搬送方向の下流側に偏って配置されており、前記最近接部位には層規制用磁極６４ｂから３０ｍＴ以上６０ｍＴ以下の磁力Ｕが作用するようになっている。
ここで、例えば３０ｍＴ未満では現像剤Ｇ層を規制する上で現像剤Ｇ層の穂立ちが少し弱い感があり、一方、６０ｍＴを超えると逆に現像剤Ｇ層の穂立ちが強すぎ、現像剤Ｇ層を規制する上でストレスがかかり易い。
また、本例では、層規制用磁極６４ｂを上述した位置に配置した理由は以下の通りである。つまり、層規制部材４５と第１の現像ロール４１の現像スリーブ６１との最近接部位よりも現像剤搬送方向上流側に偏って層規制用磁極６４ｂのピーク磁力を設定すると、現像剤Ｇの穂立ちが立ち下がる過程で前記最近接部位を通過することになり、現像剤Ｇへのストレスが少ない。この点、前記最近接部位に対応して層規制用磁極６４ｂのピーク磁力を設定すると、前記最近接部位にて現像剤Ｇが大きく穂立ちすることから、現像剤Ｇの層規制に当たって現像剤Ｇにストレスがかかり易い。一方、前記最近接部位よりも現像剤搬送方向下流側に偏って層規制用磁極６４ｂのピーク磁力を設定すると、現像剤Ｇの穂立ちが立ち上がる過程で前記最近接部位を通過することになり、その分、現像剤Ｇの層規制に当たって現像剤Ｇにストレスがかかり易い。
【００３８】
＜駆動伝達系＞
図１０は本実施の形態で用いられる現像装置の駆動伝達系を示す。
同図において、現像装置３４は、二つの駆動モータ（ＭＯＴ１，ＭＯＴ２）７１，７２によって駆動されるようになっている。
一方の駆動モータ（ＭＯＴ１）７１による駆動伝達系は、モータ駆動軸７３に駆動ギア７４を同軸に取付ける一方、第１及び第２の現像ロール４１，４２の各現像スリーブ６１の回転軸、撹拌搬送部材４３，４４の回転軸の一端には夫々伝達ギア７５〜７７を同軸に取付けると共に、伝達ギア７６，７７を噛み合わせ、更に、前記駆動ギア７４と伝達ギア７６との間に中間伝達ギア７８を噛み合わせた状態で介在させると共に、前記伝達ギア７６に前記中間伝達ギア７８を噛み合わせるようにしたものである。
他方の駆動モータ（ＭＯＴ２）７２による駆動伝達系は、モータ駆動軸８１に駆動ギア８２を同軸に取り付ける一方、前記層規制部材（回転トリマ）４５の回転軸に伝達ギア８３を同軸に取付け、前記駆動ギア８２と前記伝達ギア８３とを噛み合わせるようにしたものである。
そして、二つの駆動モータ７１，７２は制御装置１００から送出された制御信号に基づいて回転駆動又は停止するようになっている。
本例では、一方の駆動モータ７１は、第１及び第２の現像ロール４１，４２の各現像スリーブ６１、撹拌搬送部材４３，４４を同時に回転駆動又は停止するようになっている。また、他方の駆動モータ７２は、層規制部材（回転トリマ）４５を回転駆動又は停止するようになっている。
【００３９】
−層規制部材による層規制処理−
層規制部材（回転トリマ）４５は、図１１（ａ）及び図１２（ａ）に示すように、予め決められた方向に回転し、第１の現像ロール４１による現像剤搬送量ＭＯＳ１を略一定に設定すると共に、周速ｖｒを変化させることで現像剤搬送量ＭＯＳ１を可変設定することで、第１の現像ロール４１の現像域Ｄ１に搬送される現像剤層を規制するものである。
第１の現像ロール４１上に保持された層規制後の現像剤Ｇは現像域Ｄ１にて現像に供された後、現像剤受渡し部１１０を介して第２の現像ロール４２へと受け渡され、しかる後、第２の現像ロール４２に保持されて現像域Ｄ２へと搬送され、現像域Ｄ２にて現像に供された後、第２の現像ロール４２の現像剤剥離部位から剥離されて現像室４７に戻される。
＜第１の現像ロールにおける現像剤搬送量ＭＯＳ１の設定処理＞
第１の現像ロール４１は、図１１（ａ）に示すように、現像スリーブ６１の表面が平滑面６５として形成されており、当該現像スリーブ６１が層規制部材（回転トリマ）４５との対向部位にて同方向に予め決められた周速ｖｄ１で回転するようになっている。
本実施の形態において、層規制部材（回転トリマ）４５の周速ｖｒを変化させたときのＭＯＳ１の変化を測定したところ、図１１（ｂ）に示す傾向が見られた。
同図において、横軸は回転トリマ４５の周速比（対現像ロール周速）であり、図１１（ａ）に示すように、第１の現像ロール４１（具体的には現像スリーブ６１）との対向部位で同方向に回転トリマ４５を回転させる条件で、回転トリマ４５の周速ｖｒを変化させたところ、ＭＯＳ１が次第に増加していき、本例では、最大許容使用量ＭＯＳ１ｈ付近を最大として変化していることが理解される。
つまり、図１２（ａ）に示すように、今、第１の現像ロール４１（具体的には現像スリーブ６１）が一定周速ｖｄ１で回転している状態で、回転トリマ４５の周速がｖｒ＝ｖｒ１であるときに、現像域Ｄ１に到達するＭＯＳ１がＭＯＳ１１と仮定する。
このとき、図１２（ｂ）に示すように、第１の現像ロール４１（具体的には現像スリーブ６１）が一定周速ｖｄ１で回転している状態のままで、回転トリマ４５の周速がｖｒ＝ｖｒ２≠ｖｒ１であるとき、現像域Ｄ１に到達するＭＯＳ１はＭＯＳ１２≠ＭＯＳ１１に変化する。
ここで、ｖｒ２＞ｖｒ１の場合には、ＭＯＳ１２＞ＭＯＳ１１、
ｖｒ２＜ｖｒ１の場合には、ＭＯＳ１２＜ＭＯＳ１１
になる。
【００４０】
このように、ＭＯＳ１が回転トリマ４５の周速ｖｒの増減によって増減する理由は以下のように推測される。
つまり、図１１（ａ）に示すように、層規制部材（回転トリマ）４５の回転速度（周速）ｖｒを初期設定値とすれば、回転トリマ４５の回転に伴って現像剤Ｇに搬送力が与えられ、搬送力が与えられた現像剤Ｇは、回転トリマ４５の層規制部位Ｂ１（Ｂ）を通過し、設定した‘ＭＯＳ通常値’に相当する現像剤搬送量（ＭＯＳ１）をもって現像域Ｄ１（図８参照）へと到達する。
一方、図１１（ａ）に示すように、層規制部材（回転トリマ）４５の回転速度（周速）ｖｒが減少すると、回転トリマ４５の回転の減少に伴って現像剤Ｇには小さい搬送力が与えられ、小さい搬送力が与えられた現像剤Ｇは、回転トリマ４５の層規制部位Ｂ１（Ｂ）を通過し、設定した‘ＭＯＳ減’に相当する現像剤搬送量（二点鎖線で示すＭＯＳ１（減））をもって現像域Ｄ１（図８参照）へと到達する。
また、図１１（ａ）に示すように、層規制部材（回転トリマ）４５の回転速度（周速）ｖｒが増加すると、回転トリマ４５の回転の増加に伴って現像剤Ｇには大きい搬送力が与えられ、大きい搬送力が与えられた現像剤Ｇは、回転トリマ４５の層規制部位Ｂ１（Ｂ）を通過し、設定した‘ＭＯＳ増’に相当する現像剤搬送量（点線で示すＭＯＳ１（増））をもって現像域Ｄ１（図８参照）へと到達する。
【００４１】
更に、図１１（ｂ）及び図１２（ｃ）に示すように、第１の現像ロール４２（具体的には現像スリーブ６１）が一定周速ｖｄ１で回転している状態のままで、回転トリマ４５の回転駆動を停止すると、ＭＯＳ＝０になる。このとき、現像域Ｄ１への現像剤Ｇの供給が遮断される。
このように、第１の現像ロール４１の現像スリーブ６１が一定の周速ｖｄ１にて回転したまま、回転トリマ４５の回転駆動が停止される（ｖｒ＝０）と、回転トリマ４５の回転による現像剤Ｇに対する搬送力が０になるため、第１の現像ロール４２に保持された現像剤Ｇは、その上部が停止状態の回転トリマ４５にてせき止められると共にその下部が第１の現像ロール４１の平滑面６５上を滑り、前記層規制部位Ｂ１を通過することなく、層規制部位Ｂ１に滞留する。このため、第１の現像ロール４１に保持された現像剤Ｇは、層規制部位Ｂ１を介して現像域Ｄ１に到達することはなく、現像域Ｄ１に対応した第１の現像ロール４１には現像剤Ｇは存在しない。
この結果、第２の現像ロール４２に現像剤受渡し部１１０を介して現像剤Ｇが受け渡されなくなり、第２の現像ロール４２の現像域Ｄ２にも現像剤Ｇが到達しない状態に至る。
本実施の形態では、層規制部材（回転トリマ）４５の回転駆動を停止させることで現像剤の層規制停止状態を実現させているが、これに限られるものではなく、層規制部材（回転トリマ）４５を逆回転させる方式を採用することも可能である。
つまり、第１の現像ロール４１（具体的には現像スリーブ６１）が一定周速ｖｄ１で回転している状態のままで、第１の現像ロール４１（具体的には現像スリーブ６１）との対向部位で逆方向に回転トリマ４５を回転させたところ、図１１（ｂ）及び図１２（ｃ）に示すように、ＭＯＳ＝０になる。このため、回転トリマ４５の回転駆動を停止した場合と同様に、現像域Ｄ１への現像剤Ｇの供給が遮断される。
このように、回転トリマ４５が層規制部位Ｂ１にて第１の現像ロール４１の表面の回転方向と逆方向に回転駆動される（ｖｒ＜０）場合には、回転トリマ４５の逆方向の回転によって現像剤Ｇには当該現像剤Ｇの搬送を阻害する抵抗力が働くため、第１の現像ロール４１に保持された現像剤Ｇは、その上部が逆方向に回転する回転トリマ４５にて現像剤Ｇの搬送方向と逆方向に押し戻されると共にその下部が第１の現像ロール４２の平滑面６５上を滑り、前記層規制部位Ｂ１を通過することなく、層規制部位Ｂ１に滞留する。このため、第１の現像ロール４１に保持された現像剤Ｇは、層規制部位Ｂ１を介して現像域Ｄ１に到達することはなく、現像域Ｄ１に対応した第１の現像ロール４２には現像剤Ｇは存在しない状態に至る。
このため、回転トリマ４５の回転駆動を停止した場合と同様に、結果的に、第２の現像ロール４２の現像域Ｄ２への現像剤Ｇの供給も遮断される。
【００４２】
＜現像装置各部のレイアウト＞
図１３（ａ）は本実施の形態で用いられる現像装置３４各部のレイアウトを示す。
同図において、各部の符号は以下の通りである。
Ｔ１：感光体３１の帯電領域Ｅ（図１８，図１９参照）が第１の現像ロール４１の現像域Ｄ１に到達する時間
ΔＴ：層規制部材（回転トリマ）４５が回転駆動を開始してから第１の現像ロール４１に現像剤Ｇを保持搬送して当該現像剤Ｇが第１の現像ロール４１の現像域Ｄ１に到達するまでに要する時間
Ｔ２：感光体３１の帯電領域Ｅが第２の現像ロール４２の現像域Ｄ２に送達する時間
Ｔ３：感光体３１の非帯電領域Ｘ（図２３，図２４参照）が第１の現像ロール４１の現像域Ｄ１に到達する時間
Ｔ４：感光体３１の非帯電領域Ｘが第２の現像ロール４２の現像域Ｄ２に到達する時間
Ｌ０：第１の現像ロール４１の現像域Ｄ１から第２の現像ロール４２の現像域Ｄ２までの感光体３１の移動距離
Ｌ１：第１の現像ロール４１の現像域Ｄ１から第２の現像ロール４２への現像剤受渡し部位までの第１の現像ロール４１の周長
Ｌ２：第２の現像ロール４２への現像剤受渡し部位から第２の現像ロール４２の現像域Ｄ２までの第２の現像ロール４２の周長
ｖｐ：感光体３１の周速
ｖｄ１：第１の現像ロール４１の周速
ｖｄ２：第２の現像ロール４２の周速
Ｒ１：第１の現像ロール４１の感光体３１の周速ｖｐに対する周速比
Ｒ２：第２の現像ロール４２の感光体３１の周速ｖｐに対する周速比
Ｌｔ：層規制部材（回転トリマ）４５による層規制部位Ｂから現像域Ｄ１に至るまでの第１の現像ロール４１の周長
Ｌｃ：帯電装置３２による帯電部位から第１の現像ロール４１の現像域Ｄ１に至るまでの感光体３１の周長
【００４３】
＜駆動制御系＞
本実施の形態では、制御装置１００はＣＰＵ、ＲＡＭ、ＲＯＭ及び入出力ポートを含むコンピュータシステムからなり、図１４に示すように、例えば画像形成装置の使用条件Ｊ（例えばＪ１〜Ｊ３）を入力信号として受け取り、ＲＯＭ内に予めインストールされた現像制御プログラム（例えば図１５〜１７参照）をＣＰＵにて実行し、二つの駆動モータ（ＭＯＴ１，ＭＯＴ２）７１，７２、現像用電源６７及び帯電用電源９０に制御信号を送出し、各駆動モータ７１，７２を介して第１及び第２の現像ロール４１，４２の各現像スリーブ６１などや層規制部材（回転トリマ）４５を駆動制御するほか、各現像ロール４１，４２に現像電圧を所定のタイミングでオンオフ制御し、更に、帯電装置３２を所定のタイミングでオンオフ制御するものである。
本例では、第１及び第２の現像ロール４１，４２の各現像スリーブ６１の周速ｖｄ（ｖｄ１，ｖｄ２）は予め定めた一定値（const.）に設定されており、層規制部材（回転トリマ）４５の周速ｖｒは予め定めた下限値ｖminと上限値ｖmaxとの範囲で可変設定されるようになっている。
また、作像開始時、及び、作像終了時における制御動作は後述するように条件Ｓ１〜Ｓ３、及び、条件Ｅ１〜Ｅ３に従って実施されるようになっている。
【００４４】
−現像制御処理−
次に、本実施の形態で用いられる現像装置の現像制御処理について説明する。
現像制御処理としては、ＭＯＳ量制御のほか、作像開始時及び作像終了時における現像駆動及び現像電圧印加制御が実施される。
＜画像情報によるＭＯＳ量制御＞
これは、図１４及び図１５に示すように、例えば画像情報Ｊ１として像密度に着目したものであり、像密度が予め定めた低像密度、高像密度、あるいは、両者の中間に位置する通常像密度であるか否かを判別し、通常画像（通常像密度画像）である場合には、‘ＭＯＳ通常値’に設定し、層規制部材（回転トリマ）の回転速度（周速）ｖｒを初期設定値とし、プリント動作（現像動作）を実施する。
また、画像情報が低像密度画像である場合には、‘ＭＯＳ減’に設定し、層規制部材（回転トリマ）の回転速度（周速）ｖｒを初期設定値よりも減少させ、プリント動作（現像動作）を実施する。
更に、画像情報が高像密度画像である場合には、‘ＭＯＳ増’に設定し、層規制部材（回転トリマ）の回転速度（周速）ｖｒを初期設定値よりも増加させ、プリント動作（現像動作）を実施する。
【００４５】
＜使用履歴情報によるＭＯＳ量制御＞
これは、図１４及び図１６に示すように、例えば使用履歴情報Ｊ２としてプリント枚数に着目したものであり、プリント枚数が予め定めた閾値Ｎ１、Ｎ２、Ｎ３（Ｎ１＜Ｎ２＜Ｎ３）以上か否かを判別し、総プリント枚数がＮ１以下である場合には、‘ＭＯＳ通常値’に設定し、層規制部材（回転トリマ）の回転速度（周速）ｖｒを初期設定値とし、プリント動作（現像動作）を実施する。
また、総プリント枚数がＮ１より多くＮ２以下である場合には、‘ＭＯＳ増’に設定し、層規制部材（回転トリマ）の回転速度（周速）ｖｒを初期設定値よりも増加させ、プリント動作（現像動作）を実施する。
更に、総プリント枚数がＮ２より多くＮ３以下である場合には、更に‘ＭＯＳ増’に設定し、層規制部材（回転トリマ）の回転速度（周速）ｖｒを初期設定値よりも更に増加させ、プリント動作（現像動作）を実施する。
【００４６】
＜環境情報によるＭＯＳ量制御＞
これは、図１７に示すように、例えば環境情報Ｊ３として温度・湿度に着目したものであり、温度・湿度が予め定めた低温低湿、高温高湿、あるいは、両者の中間に位置する常温常湿であるか否かを判別し、常温常湿である場合には、‘ＭＯＳ通常値’に設定し、層規制部材（回転トリマ）の回転速度（周速）ｖｒを初期設定値とし、プリント動作（現像動作）を実施する。
また、環境情報が低温低湿である場合には、‘ＭＯＳ増’に設定し、層規制部材（回転トリマ）の回転速度（周速）ｖｒを初期設定値よりも増加させ、プリント動作（現像動作）を実施する。
更に、環境情報が高温高湿である場合には、‘ＭＯＳ減’に設定し、層規制部材（回転トリマ）の回転速度（周速）ｖｒを初期設定値よりも減少させ、プリント動作（現像動作）を実施する。
【００４７】
＜作像開始時制御＞
本実施の形態では、制御装置１００は、作像開始時（Cycle up）において以下の制御動作（条件Ｓ１〜Ｓ３）を実施する。
条件Ｓ１：感光体３１の帯電領域Ｅが第１の現像ロール４１の現像域Ｄ１に到達する時間Ｔ１前に現像用電源６７による現像電圧を印加する制御動作
条件Ｓ２：前記Ｔ１よりΔＴ前の時間以降に層規制部材（回転トリマ）４５による層規制状態のための駆動を開始する制御動作
条件Ｓ３：前記Ｔ１以後で、感光体３１の帯電領域Ｅが第２の現像ロール４２の現像域Ｄ２に到達する時間Ｔ２までの間は、Ｌ１／Ｒ１＋Ｌ２／Ｒ２＞Ｌ０を満たす制御動作
このような制御動作条件Ｓ１〜Ｓ３を実施すると、現像装置３４は、図１８（ａ）〜（ｅ）に示す過程を経て作像開始状態に至る。
具体的に述べると、作像開始時には、図１８（ａ）に示すように、先ず、感光体３１，現像ロール４１，４２及び撹拌搬送部材４３，４４が駆動を開始し、図１８（ｂ）に示すように、層規制部材（回転トリマ）４５が第１の現像ロール４１との対向部位にて当該第１の現像ロール４１と同方向になる方向に向かって駆動回転する。この層規制部材（回転トリマ）４５の駆動回転タイミングは、条件Ｓ２に基づいて実施されており、これにより、感光体３１の帯電領域Ｅが第１の現像ロール４１の現像域Ｄ１に到達したときには、図１８（ｃ）に示すように、第１の現像ロール４１に保持された現像剤Ｇが現像域Ｄ１に搬送された状態にある。
そして、条件Ｓ１に従って、第１の現像ロール４１の現像域Ｄ１に感光体３１の帯電領域Ｅが到達する前に、現像用電源６７から現像電圧（図中現像Biasと表記、以下同様）が印加され、第１の現像ロール４１の現像域Ｄ１に現像剤Ｇが搬送された状態では既に現像電圧が印加された状態になっている（図１８（ｃ）参照）。
この後、第１の現像ロール４１に保持された現像剤Ｇは、図１８（ｄ）に示すように、現像剤受渡し部１１０（図１３（ａ）（ｂ）参照）を介して第２の現像ロール４２に受け渡され、第２の現像ロール４２に保持されて第２の現像ロール４２の現像域Ｄ２へと搬送される。
このとき、条件Ｓ３に従って、現像ロール４１，４２の周速ｖｄ１（Ｒ１×ｖｐ），ｖｄ２（Ｒ２×ｖｐ）の一方又は両方を低下させることで、感光体３１の帯電領域Ｅが第２の現像ロール４２の現像域Ｄ２に到達してから、第２の現像ロール４２の現像域Ｄ２に現像剤Ｇが遅れて搬送供給される状態になる。
このため、第１及び第２の現像ロール４１，４２の現像域Ｄ（Ｄ１，Ｄ２）では、キャリアバンドが生成される条件（図４（ｃ）参照）が回避されることになり、現像域Ｄ（Ｄ１，Ｄ２）でのキャリアバンドの生成は防止される。
この後、現像装置３４は、図１８（ｅ）に示すように、各現像ロール４１，４２の現像域Ｄ（Ｄ１，Ｄ２）では、現像剤Ｇが搬送された状態で、各現像ロール４１，４２に現像電圧が印加されると共に、感光体３１の帯電領域Ｅが通過する状態を維持し、作像処理を継続する。
【００４８】
＜作像終了時制御＞
また、制御装置１００は、図１９（ａ）〜（ｅ）に示すように、作像終了時（Cycle down）には以下の制御動作（条件Ｅ１〜Ｅ３）を実施する。
条件Ｅ１：感光体３１の非帯電領域Ｘが第１の現像ロール４１の現像域Ｄ１に到達する時間Ｔ３前に層規制部材（回転トリマ）４５による回転駆動を停止する制御動作
条件Ｅ２：層規制部材（回転トリマ）４５による回転駆動を停止した後で、感光体３１の帯電領域Ｅの形成が終了した後当該感光体３１の非帯電領域Ｘが第１の現像ロール４１の現像域Ｄ１に到達する時間Ｔ３までの間は、Ｌｔ／Ｒ１＜Ｌｃを満たす制御動作
条件Ｅ３：前記Ｔ３以後では、Ｌ１／Ｒ１＋Ｌ２／Ｒ２＜Ｌ０を満たす制御動作
具体的に述べると、作像終了時には、図１９（ａ）に示すように、先ず、感光体３１に対する帯電装置３２による帯電をオフにし、図１９（ｂ）に示すように、条件Ｅ１に従って層規制部材（回転トリマ）４５の回転駆動を停止する。この状態において、層規制部材（回転トリマ）４５による現像剤Ｇの層規制動作が終了し、層規制部材（回転トリマ）４５による層規制部位を通過する現像剤Ｇが略０になる。
このとき、図１９（ｃ）に示すように、条件Ｅ２に従って、第１の現像ロール４１の周速ｖｄ１を制御し、第１の現像ロール４１の現像域Ｄ１に感光体３１の非帯電領域Ｘが到達する前に、現像域Ｄ１から現像剤Ｇが搬送除去される。
この後、図１９（ｃ）（ｄ）に示すように、第１の現像ロール４１の現像域Ｄ１を通過した現像剤Ｇは現像剤受渡し部１１０（図１３（ａ）（ｂ）参照）を介して第２の現像ロール４２に受け渡され、第２の現像ロール４２に保持されて現像域Ｄ２に向けて搬送される。
この間、第１及び第２の現像ロール４１，４２の周速ｖｄ１（Ｒ１×ｖｐ），ｖｄ２（Ｒ２×ｖｐ）の一方又は両方を増加させることで、感光体３１の非帯電領域Ｘが第２の現像ロール４２の現像域Ｄ２に到達する前に、第２の現像ロール４２の現像域Ｄ２から現像剤Ｇが搬送除去される状態にすればよい。
このため、第１及び第２の現像ロール４１，４２の現像域Ｄ（Ｄ１，Ｄ２）ではトナーバンドが生成される条件（図４（ｂ）参照）が回避されることになり、現像域Ｄ（Ｄ１，Ｄ２）でのトナーバンドの生成は防止される。
この後、現像装置３４は、図１９（ｅ）に示すように、各現像ロール４１，４２の現像域Ｄ（Ｄ１，Ｄ２）では、現像剤Ｇが除去された状態で、各現像ロール４１，４２に現像電圧が印加されると共に、感光体３１の非帯電領域Ｘが通過する状態を維持し、作像処理を終了する。
【００４９】
＜比較の形態による作像開始時制御＞
本実施の形態に係る現像装置３４の性能を評価する上で、比較の形態に係る現像装置による作像開始時の制御例について説明する。
本比較の形態に係る現像装置３４’は、図２０（ａ）に示すように、上下方向に二つの現像ロール４１，４２を並べ、第１の現像ロール４１’に対して層規制部材として磁性板からなる板状規制部材（固定トリマ）４５’を配設し、第１の現像ロール４１’から第２の現像ロール４２’に向けて現像剤Ｇを受け渡すようにしたものである。尚、実施の形態１と同様な構成要素については、実施の形態１と同様な符号を付してここではその説明を省略する。
本比較の形態に係る現像装置３４’では、各現像ロール４１’，４２’の現像域Ｄ１，Ｄ２には常時現像剤Ｇが存在する状態にあるため、例えば図２０（ｂ）に示すように、現像電圧（図中現像Biasと表記）が印加される前に、感光体３１の帯電領域Ｅが第１の現像ロール４１’に到達すると、当該現像域Ｄ１では、キャリアバンドが生成し易い条件になり、キャリアバンドＣＢが生成し易くなってしまう。
この後、図２０（ｃ）に示すように、感光体３１の帯電領域Ｅが第２の現像ロール４２’の現像域Ｄ２に到達した後に、両方の現像ロール４１’，４２’に現像電圧を印加すると、この現像電圧に基づく電界の作用により、感光体３１上のキャリアバントＣＢが第２の現像ロール４２’で幾分回収されるが、全てが回収されるわけではないので、図２０（ｄ）に示すように、感光体３１上にキャリアバンドＣＢが残存してしまう。
一方、このようなキャリアバンドＣＢの生成を低減させるには、キャリアバンドの生成条件を回避するようにすればよいが、キャリアバンドの生成条件を回避するには、例えば感光体３１の非帯電領域が現像域Ｄに到達するときに現像電圧を印加する方式を採用すればよいが、この方式を採用する場合には、現像域Ｄに対しトナーバンドが生成し易い条件になってしまい、感光体３１側にトナーバンドが生成されてしまう懸念がある。
このように、比較の形態に係る現像装置３４’にあっては、トナーやキャリアによるかぶり現象が回避し難いことが理解される。
【００５０】
◎実施の形態２
図２１は実施の形態２に係る現像装置の全体構成を示す説明図である。
同図において、現像装置３４の基本的構成は実施の形態１と略同様であるが、実施の形態１と異なる現像剤搬送系及び層規制部材４５を備えている。尚、実施の形態１と略同様な構成要素については実施の形態１と同様な符号を付してここではその詳細な説明を省略する。
同図において、現像装置３４は、実施の形態１と略同様に、感光体３１側が開口し且つトナー及びキャリアを含む二成分現像剤が収容される現像容器４０を有し、この現像容器４０の感光体３１に面した箇所に現像剤Ｇが保持搬送可能な複数（本例では二つ）の現像ロール４１，４２を上下に並べて配設したものであるが、実施の形態１と異なり、感光体３１の移動方向に対し第２の現像ロール４２が第１の現像ロール４１の上流側に位置しており、各現像ロール４１，４２が感光体３１との対向部位にて感光体３１の移動方向と逆方向（Against）に回転し、かつ、感光体３１の移動方向下流側に位置する第１の現像ロール４１から同上流側に位置する第２の現像ロール４２に向かって現像剤Ｇを受け渡すようになっている。
そして、本例では、現像容器４０の下側に位置する撹拌搬送部材４４から第１の現像ロール４１の現像剤供給部位Ｐ１（Ｐ）に現像剤Ｇが供給されるようになっており、第１の現像ロール４１に対向して層規制部材（回転トリマ）４５が設けられている。
この層規制部材（回転トリマ）４５は、実施の形態１と略同様に、第１の現像ロール４１との対向部位にて同方向に回転することで供給された現像剤Ｇの層規制を行い、その回転駆動を停止又は逆回転させることで、現像剤Ｇの層規制動作を停止するようになっている。
また、本例では、現像剤受渡し部１１０は、図２２（ａ）（ｂ）に示すように、第１、第２の現像ロール４１，４２の対向部位において、第１の現像ロール４１側に反発磁界を生成するための搬送用磁極６４ｅ（本例ではＳ極）及び剥離用磁極６４ｄ（本例ではＳ極）を配置する共に、これに対向する第２の現像ロール４２側に吸着用磁極６４ｃ（本例ではＮ極）を配置し、第１の現像ロール４１の前述した反発磁界にて現像剤Ｇを剥離し、第２の吸着用磁極６４ｃにて剥離された現像剤Ｇを吸着保持するようにしたものである。
【００５１】
＜現像装置各部のレイアウト＞
図２２（ａ）は本実施の形態で用いられる現像装置３４各部のレイアウトを示す。
同図において、各部の符号は以下の通りである。
Ｔ１：感光体３１の帯電領域Ｅ（図２３，図２４参照）が第１の現像ロール４１の現像域Ｄ１に到達する時間
ΔＴ：層規制部材（回転トリマ）４５が回転駆動を開始してから第１の現像ロール４１に現像剤Ｇを保持搬送して当該現像剤Ｇが第１の現像ロール４１の現像域Ｄ１に到達するまでに要する時間
Ｔ２：感光体３１の帯電領域Ｅが第２の現像ロール４２の現像域Ｄ２に送達する時間
Ｔ３：感光体３１の非帯電領域Ｘ（図２３，図２４参照）が第１の現像ロール４１の現像域Ｄ１に到達する時間
Ｔ４：感光体３１の非帯電領域Ｘが第２の現像ロール４２の現像域Ｄ２に到達する時間
Ｌ０：第１の現像ロール４１の現像域Ｄ１から第２の現像ロール４２の現像域Ｄ２までの感光体３１の移動距離
Ｌ１：第１の現像ロール４１の現像域Ｄ１から第２の現像ロール４２への現像剤受渡し部位までの第１の現像ロール４１の周長
Ｌ２：第２の現像ロール４２への現像剤受渡し部位から第２の現像ロール４２の現像域Ｄ２までの第２の現像ロール４２の周長
ｖｐ：感光体３１の周速
ｖｄ１：第１の現像ロール４１の周速
ｖｄ２：第２の現像ロール４２の周速
Ｒ１：第１の現像ロール４１の感光体３１の周速ｖｐに対する周速比
Ｒ２：第２の現像ロール４２の感光体３１の周速ｖｐに対する周速比
Ｌｔ：層規制部材（回転トリマ）４５による層規制部位Ｂから現像域Ｄ１に至るまでの第１の現像ロール４５の周長
Ｌｃ：帯電装置３２による帯電部位から第１の現像ロール４１の現像域Ｄ１に至るまでの感光体３１の周長
但し、本例では、実施の形態１と異なり、Ｔ１＞Ｔ２である。
【００５２】
本実施の形態に係る現像装置によれば、以下のような作像制御処理が行われる。ここで、ＭＯＳ制御については、実施の形態１と略同様であるので、ここでは省略し、作像開始時制御及び作像終了時制御について説明する。
＜作像開始時制御＞
本実施の形態では、制御装置１００は、作像開始時（Cycle up）において以下の制御動作（条件Ｓ１〜Ｓ２）を実施する。
条件Ｓ１：感光体３１の帯電領域Ｅが第１の現像ロール４１の現像域Ｄ１に到達する時間Ｔ１前に現像用電源６７による現像電圧を印加する制御動作
条件Ｓ２：前記Ｔ１よりΔＴ前の時間以降に層規制部材（回転トリマ）４５による層規制状態のための駆動を開始する制御動作
このような制御動作条件Ｓ１〜Ｓ２を実施すると、現像装置３４は、図２３（ａ）〜（ｅ）に示す過程を経て作像開始状態に至る。
具体的に述べると、作像開始時には、図２３（ａ）に示すように、先ず、感光体３１，現像ロール４１，４２及び撹拌搬送部材４３，４４並びに層規制部材（回転トリマ）４５が停止状態のまま、帯電装置３２による感光体３１への帯電を実施する。このとき、現像用電源６７による現像電圧（本例では現像Biasと表記）はまだ印加されていない。
この後、図２３（ｂ）に示すように、現像ロール４１，４２及び撹拌搬送部材４３，４４の駆動を開始すると共に、条件Ｓ２に従って層規制部材（回転トリマ）４５の回転駆動を開始し、感光体３１上の帯電領域Ｅが第１の現像ロール４１の現像域Ｄ１に到達したときに、第１の現像ロール４１の現像域Ｄ１に当該第１の現像ロール４１に保持された現像剤Ｇが搬送された状態にある。
そして、条件Ｓ１に従って、第１の現像ロール４１の現像域Ｄ１に感光体３１の帯電領域Ｅが到達する前に、現像用電源６７から現像電圧が印加され、第１の現像ロール４１の現像域Ｄ１に現像剤Ｇが搬送された状態では既に現像電圧が印加された状態になっている（図２３（ｃ）参照）。
この後、第１の現像ロール４１に保持された現像剤Ｇは、図２３（ｄ）に示すように、現像剤受渡し部１１０（図２２（ａ）（ｂ）参照）を介して第２の現像ロール４２に受け渡され、第２の現像ロール４２に保持されて第２の現像ロール４２の現像域Ｄ２へと搬送される。
このとき、図２３（ｄ）に示すように、第２の現像ロール４２の現像域Ｄ２に現像剤Ｇが搬送されたタイミングでは、現像域Ｄ２に対して感光体３１の帯電領域Ｅが位置し、かつ、現像電圧も既に印加された状態にある。
このため、第１及び第２の現像ロール４１，４２の現像域Ｄ（Ｄ１，Ｄ２）では、キャリアバンドが生成される条件（図４（ｃ）参照）が回避されることになり、現像域Ｄ（Ｄ１，Ｄ２）でのキャリアバンドの生成は防止される。
この後、現像装置３４は、図２３（ｅ）に示すように、各現像ロール４１，４２の現像域Ｄ（Ｄ１，Ｄ２）では、現像剤Ｇが搬送された状態で、各現像ロール４１，４２に現像電圧が印加されると共に、感光体３１の帯電領域Ｅが通過する状態を維持し、作像処理を継続する。
【００５３】
＜作像終了時制御＞
また、制御装置１００は、図２４（ａ）〜（ｅ）に示すように、作像終了時（Cycle down）には以下の制御動作（条件Ｅ１〜Ｅ２）を実施する。
条件Ｅ１：感光体３１の非帯電領域Ｘが第２の現像ロール４２の現像域Ｄ２に到達する時間Ｔ４前に層規制部材（回転トリマ）４５による回転駆動を停止する制御動作
条件Ｅ２：層規制部材（回転トリマ）４５による回転駆動を停止した後は、（Ｌｔ＋Ｌ１）／Ｒ１＋Ｌ２／Ｒ２＜Ｌｃ−Ｌ０を満たす制御動作
具体的に述べると、作像終了時には、図２４（ａ）に示すように、先ず、感光体３１に対する帯電装置３２による帯電をオフにし、図２４（ｂ）に示すように、条件Ｅ１に従って層規制部材（回転トリマ）４５の回転駆動を停止する。この状態において、層規制部材（回転トリマ）４５による現像剤Ｇの層規制動作が終了し、層規制部材（回転トリマ）４５による層規制部位を通過する現像剤Ｇが略０になる。
このとき、図２４（ｃ）に示すように、第１の現像ロール４１の現像域Ｄ１を通過した現像剤Ｇは現像剤受渡し部１１０（図２２（ａ）（ｂ）参照）を介して第２の現像ロール４２に受け渡され、第２の現像ロール４２に保持されて現像域Ｄ２に向けて搬送される。
この状態において、条件Ｅ２に従って、第１、第２の現像ロール４１，４２の周速ｖｄ１，ｖｄ２を制御し、第２の現像ロール４２の現像域Ｄ２に感光体３１の非帯電領域Ｘが到達する前に、現像域Ｄ２から現像剤Ｇが搬送除去されるようにすればよい。
この間、第１及び第２の現像ロール４１，４２の周速ｖｄ１（Ｒ１×ｖｐ），ｖｄ２（Ｒ２×ｖｐ）の一方又は両方を増加させることで、感光体３１の非帯電領域Ｘが第２の現像ロール４２の現像域Ｄ２に到達する前に、第２の現像ロール４２の現像域Ｄ２から現像剤Ｇが搬送除去される状態にすればよい。
このため、第１及び第２の現像ロール４１，４２の現像域Ｄ（Ｄ１，Ｄ２）ではトナーバンドが生成される条件（図４（ｂ）参照）が回避されることになり、現像域Ｄ（Ｄ１，Ｄ２）でのトナーバンドの生成は防止される。
この後、現像装置３４は、図２４（ｅ）に示すように、各現像ロール４１，４２の現像域Ｄ（Ｄ１，Ｄ２）では、現像剤Ｇが除去された状態で、各現像ロール４１，４２に現像電圧が印加されると共に、感光体３１の非帯電領域Ｘが通過する状態を維持し、作像処理を終了する。
【００５４】
◎実施の形態３
図２５は実施の形態３に係る現像装置の全体構成を示す。
同図において、現像装置３４の基本的構成は、実施の形態１，２と略同様に、現像容器４０内に複数（本例では２つ）の現像ロール４１，４２を配設し、これらの背面側には撹拌搬送部材４３，４４を上下に配設したものであるが、実施の形態１，２と異なる現像剤搬送系及び層規制部材を備えている。尚、実施の形態１，２と同様な構成要素については実施の形態１，２と同様な符号を付してここではその詳細な説明を省略する。
つまり、本実施の形態では、第２の現像ロール４２は、感光体３１の移動方向に対して第１の現像ロール４１より下流側に配設されており、第１の現像ロール４１は感光体３１との対向部位にて感光体３１と逆方向に回転し、第２の現像ロール４２は感光体３１との対向部位にて感光体３１と同方向に回転するようになっている。このため、本例では、各現像ロール４１，４２に保持される現像剤Ｇは両ロール４１，４２の対向部位から感光体３１側に向かって吹き出す方向に搬送されるようになっている。
そして、第１の現像ロール４１は、現像容器４０内で上側に位置する撹拌搬送部材４３にて予め決められた現像剤供給部位Ｐ１（Ｐ）に現像剤Ｇが供給されるようになっており、第１の現像ロール４１に対向した層規制部位Ｂ１（Ｂ）には層規制部材（回転トリマ）４５が予め決められた間隙で非接触配置され、この層規制部材（回転トリマ）４５は、実施の形態１と略同様に、第１の現像ロール４１との対向部位にて同方向に回転することで供給された現像剤Ｇの層規制を行い、その回転駆動を停止又は逆回転させることで、現像剤Ｇの層規制動作を停止するようになっている。
一方、第２の現像ロール４２は、現像容器４０内で下側に位置する撹拌搬送部材４３にて予め決められた現像剤供給部位Ｐ２（Ｐ）に現像剤Ｇが供給されるようになっており、第２の現像ロール４１に対向した層規制部位Ｂ２（Ｂ）には磁性板などの板状規制部材（固定トリマ）１２０が予め決められた間隙で非接触配置され、供給された現像剤Ｇを層規制した状態で保持搬送するようになっている。
尚、符号４６は第１の現像ロール４１から剥離された現像剤Ｇを現像室４７に戻すための案内板である。
【００５５】
＜現像装置各部のレイアウト＞
図２６は本実施の形態で用いられる現像装置３４各部のレイアウトを示す。
同図において、各部の符号は以下の通りである。
Ｔ１：感光体３１の帯電領域Ｅ（図２７，図２８参照）が第１の現像ロール４１の現像域Ｄ１に到達する時間
ΔＴ：層規制部材（回転トリマ）４５が回転駆動を開始してから第１の現像ロール４１に現像剤Ｇを保持搬送して当該現像剤Ｇが第１の現像ロール４１の現像域Ｄ１に到達するまでに要する時間
Ｔ２：感光体３１の帯電領域Ｅが第２の現像ロール４２の現像域Ｄ２に送達する時間
Ｔ３：感光体３１の非帯電領域Ｘ（図２７，図２８参照）が第１の現像ロール４１の現像域Ｄ１に到達する時間
Ｔ４：感光体３１の非帯電領域Ｘ（図２７，図２８参照）が第２の現像ロール４２の現像域Ｄ２に到達する時間
ｖｐ：感光体３１の周速
ｖｄ１：第１の現像ロール４１の周速
ｖｄ２：第２の現像ロール４２の周速
Ｒ１：第１の現像ロール４１の感光体３１の周速ｖｐに対する周速比
Ｒ２：第２の現像ロール４２の感光体３１の周速ｖｐに対する周速比
Ｌｔ：層規制部材（回転トリマ）４５による層規制部位Ｂから現像域Ｄ１に至るまでの第１の現像ロール４５の周長
Ｌｃ：帯電装置３２による帯電部位から第１の現像ロール４１の現像域Ｄ１に至るまでの感光体３１の周長
【００５６】
本実施の形態に係る現像装置によれば、以下のような作像制御処理が行われる。ここで、ＭＯＳ制御については、実施の形態１と略同様であるので、ここでは省略し、作像開始時制御及び作像終了時制御について説明する。
＜作像開始時制御＞
本実施の形態では、制御装置１００は、作像開始時（Cycle up）において以下の制御動作（条件Ｓ１〜Ｓ２）を実施する。
条件Ｓ１：感光体３１の帯電領域Ｅが第２の現像ロール４２の現像域Ｄ２に到達する時間Ｔ２以降に現像用電源６７による現像電圧を印加する制御動作
条件Ｓ２：前記Ｔ２よりΔＴ前の時間以降に層規制部材（回転トリマ）４５による層規制状態のための駆動を開始する制御動作
このような制御動作条件Ｓ１〜Ｓ２を実施すると、現像装置３４は、図２７（ａ）〜（ｅ）に示す過程を経て作像開始状態に至る。
具体的に述べると、作像開始時には、図２７（ａ）に示すように、先ず、感光体３１，現像ロール４１，４２及び撹拌搬送部材４３，４４並びに層規制部材（回転トリマ）４５が停止状態のまま、帯電装置３２による感光体３１への帯電を実施する。このとき、現像用電源６７による現像電圧（本例では現像Biasと表記）はまだ印加されていない。
この後、図２７（ｂ）に示すように、現像ロール４１，４２及び撹拌搬送部材４３，４４の駆動を開始すると共に、条件Ｓ２に従って層規制部材（回転トリマ）４５の回転駆動を開始する。
この後、感光体３１上の帯電領域Ｅは、図２７（ｃ）（ｄ）に示すように、第１の現像ロール４１の現像域Ｄ１を通過した後、第２の現像ロール４２の現像域Ｄ２へと移動していき、第１の現像ロール４１に保持された現像剤Ｇも現像域Ｄ１に向かって移動していく。
そして、図２７（ｄ）に示すように、条件Ｓ１に従って、第２の現像ロール４２の現像域Ｄ２に感光体３１の帯電領域Ｅが到達する前に、現像用電源６７から現像電圧が印加される。このとき、図２７（ｄ）では、第１の現像ロール４１の現像域Ｄ１には現像剤Ｇが搬送されていない状態にある。
この後、図２７（ｅ）に示すように、各現像ロール４１，４２の現像域Ｄ１，Ｄ２では、いずれにも現像剤Ｇが搬送された状態に至るが、感光体３１の帯電領域Ｅが位置し、かつ、現像電圧が既に印加した状態にある。
このため、第１及び第２の現像ロール４１，４２の現像域Ｄ（Ｄ１，Ｄ２）では、キャリアバンドが生成される条件（図４（ｃ）参照）が回避されることになり、現像域Ｄ（Ｄ１，Ｄ２）でのキャリアバンドの生成は防止される。
つまり、作像開始時には、感光体３１の帯電領域Ｅが第１及び第２の現像ロール４１，４２の現像域Ｄ（Ｄ１，Ｄ２）に到達するときに、現像電圧を印加した状態にしておき、これと同時又はその後に、各現像域Ｄに現像剤層が供給されるようにすることで、各現像域Ｄでのキャリアバンドの生成が防止される。
【００５７】
＜作像終了時制御＞
また、制御装置１００は、図２８（ａ）〜（ｅ）に示すように、作像終了時（Cycle down）には以下の制御動作（条件Ｅ１〜Ｅ３）を実施する。
条件Ｅ１：感光体３１の非帯電領域Ｘが第１の現像ロール４１の現像域Ｄ１に到達する時間Ｔ３前に層規制部材（回転トリマ）４５による回転駆動を停止する制御動作
条件Ｅ２：感光体３１の非帯電領域Ｘが第２の現像ロール４２に到達する時間Ｔ４以降に現像用電源６７による現像電圧の印加動作を停止する制御動作
条件Ｅ３：層規制部材（回転トリマ）４５による回転駆動を停止した後で、感光体３１の帯電領域Ｅの形成が終了した後当該感光体３１の非帯電領域Ｘが第１の現像ロール４１の現像域Ｄ１に到達する時間Ｔ３までの間は、Ｌｔ／Ｒ１＜Ｌｃを満たす制御動作
作像終了時には、図２８（ａ）に示すように、先ず、感光体３１に対する帯電装置３２による帯電をオフにし、図２８（ｂ）に示すように、条件Ｅ１に従って層規制部材（回転トリマ）４５の回転駆動を停止する。この状態において、層規制部材（回転トリマ）４５による現像剤Ｇの層規制動作が終了し、層規制部材（回転トリマ）４５による層規制部位を通過する現像剤Ｇが略０になる。
このとき、図２８（ｃ）に示すように、層規制部材（回転トリマ）４５による層規制動作が終了することから、第１の現像ロール４１の現像剤ＧがＬｔだけ移動した段階で現像域Ｄ１に到達するが、条件Ｅ３に従って、第１の現像ロール４１の周速ｖｄ１を増速させることで、感光体３１の非帯電領域Ｘが第１の現像ロール４１の現像域Ｄ１に到達した段階では、当該現像域Ｄ１には現像剤Ｇが存在しない状態にすることが可能である。
次いで、図２８（ｄ）に示すように、条件Ｅ２に従って、感光体３１の非帯電領域Ｘが第２の現像ロール４２の現像域Ｄ２を通過した段階で、現像用電源６７による現像電圧の印加を停止する。
このため、第１及び第２の現像ロール４１，４２の現像域Ｄ（Ｄ１，Ｄ２）ではトナーバンドが生成される条件（図４（ｂ）参照）が回避されることになり、現像域Ｄ（Ｄ１，Ｄ２）でのトナーバンドの生成は防止される。
この後、現像装置３４は、図２８（ｅ）に示すように、第１の現像ロール４１の現像域Ｄ１では現像剤Ｇが除去され、第２の現像ロール４２の現像域Ｄ２では現像剤がそのまま残るが、各現像ロール４１，４２に現像電圧の印加が停止されると共に、感光体３１の非帯電領域Ｘが通過する状態を維持し、作像処理を終了する。
つまり、作像終了時には、帯電装置３２よる帯電部位から第１の現像ロール４１の現像域Ｄ１に至るまでの感光体３１の周長と、層規制部材（回転トリマ）４５による層規制部位から現像域Ｄ１に至るまでの第１の現像ロール４１の周長との関係を規定し、感光体３１の非帯電領域Ｘが第１の現像ロール４１の現像域Ｄ１に到達する前に、第１の現像ロール４１の現像域Ｄ１に対応する部位から現像剤を除去することで、第１の現像ロール４１の現像域Ｄ１でのトナーやキャリアのかぶり現象が防止される。一方、第２の現像ロール４２の現像域Ｄ２には現像剤Ｇは存在しているが、最終的に現像電圧の印加が停止されることから、第２の現像ロール４２の現像域Ｄ２でトナーやキャリアのかぶり現象は起こらない。
【００５８】
◎実施の形態４
図２９は実施の形態４に係る現像装置の全体構成を示す。
同図において、現像装置３４の基本的構成は、実施の形態３と略同様であるが、実施の形態３と異なり、第２の現像ロール４２は、感光体３１の移動方向に対して第１の現像ロール４１より上流側に配設されており、第１の現像ロール４１は感光体３１との対向部位にて感光体３１と同逆方向に回転し、第２の現像ロール４２は感光体３１との対向部位にて感光体３１と逆方向に回転するようになっている。そして、第１の現像ロール４１には層規制部材（回転トリマ）４５が予め決められた間隙で対向配置されており、第２の現像ロール４２には磁性板などの板状規制部材（固定トリマ）１２０が予め決められた間隙で対向配置されている。
尚、実施の形態３と同様な構成要素については実施の形態３と同様な符号を付してここではその詳細な説明を省略する。
【００５９】
＜現像装置各部のレイアウト＞
図３０は本実施の形態で用いられる現像装置３４各部のレイアウトを示す。
同図において、各部の符号は以下の通りである。
Ｔ１：感光体３１の帯電領域Ｅ（図３１，図３２参照）が第１の現像ロール４１の現像域Ｄ１に到達する時間
ΔＴ：層規制部材（回転トリマ）４５が回転駆動を開始してから第１の現像ロール４１に現像剤Ｇを保持搬送して当該現像剤Ｇが第１の現像ロール４１の現像域Ｄ１に到達するまでに要する時間
Ｔ２：感光体３１の帯電領域Ｅが第２の現像ロール４２の現像域Ｄ２に送達する時間
Ｔ３：感光体３１の非帯電領域Ｘ（図３１，図３２参照）が第１の現像ロール４１の現像域Ｄ１に到達する時間
Ｔ４：感光体３１の非帯電領域Ｘ（図３１，図３２参照）が第２の現像ロール４２の現像域Ｄ２に到達する時間
ｖｐ：感光体３１の周速
ｖｄ１：第１の現像ロール４１の周速
ｖｄ２：第２の現像ロール４２の周速
Ｒ１：第１の現像ロール４１の感光体３１の周速ｖｐに対する周速比
Ｒ２：第２の現像ロール４２の感光体３１の周速ｖｐに対する周速比
Ｌ０：第１の現像ロール４１の現像域Ｄ１から第２の現像ロール４２の現像域Ｄ２までの感光体３１の移動距離
Ｌｔ：層規制部材（回転トリマ）４５による層規制部位Ｂから現像域Ｄ１に至るまでの第１の現像ロール４１の周長
Ｌｃ：帯電装置３２による帯電部位から第１の現像ロール４１の現像域Ｄ１に至るまでの感光体３１の周長
但し、本例では、Ｔ１＞Ｔ２，Ｔ３＞Ｔ４である。
【００６０】
本実施の形態に係る現像装置によれば、以下のような作像制御処理が行われる。ここで、ＭＯＳ制御については、実施の形態１と略同様であるので、ここでは省略し、作像開始時制御及び作像終了時制御について説明する。
＜作像開始時制御＞
本実施の形態では、制御装置１００は、作像開始時（Cycle up）において以下の制御動作（条件Ｓ１〜Ｓ２）を実施する。
条件Ｓ１：感光体３１の帯電領域Ｅが第２の現像ロール４２の現像域Ｄ２に到達する時間Ｔ２以降に現像用電源６７による現像電圧を印加する制御動作
条件Ｓ２：感光体３１の帯電領域Ｅが第１の現像ロール４２の現像域Ｄ１に到達する時間Ｔ１よりΔＴ前の時間以降に層規制部材（回転トリマ）４５による層規制状態のための駆動を開始する制御動作
このような制御動作条件Ｓ１〜Ｓ２を実施すると、現像装置３４は、図３１（ａ）〜（ｅ）に示す過程を経て作像開始状態に至る。
具体的に述べると、作像開始時には、図３１（ａ）に示すように、先ず、感光体３１、現像ロール４１，４２及び撹拌搬送部材４３，４４の駆動を開始し、しかる後、図３１（ｂ）に示すように、条件Ｓ２に従って層規制部材（回転トリマ）４５の回転駆動を開始する。このとき、現像用電源６７による現像電圧（本例では現像Biasと表記）はまだ印加されていない。
この後、感光体３１上の帯電領域Ｅは、図３１（ｃ）に示すように、第２の現像ロール４２の現像域Ｄ２に到達するが、帯電領域Ｅが第２の現像ロール４２の現像域Ｄ２を通過後に条件Ｓ１に従って現像用電源６７による現像電圧を印加する。
また、感光体３１上の帯電領域Ｅは第２の現像ロール４２の現像域Ｄ２を通過した後、第１の現像ロール４１の現像域Ｄ１に到達するが、条件Ｓ２によって、現像域Ｄ１に感光体３１の帯電領域Ｅが位置したときには現像剤Ｇが搬送された状態にある。
この後、図３１（ｅ）に示すように、各現像ロール４１，４２の現像域Ｄ１，Ｄ２では、いずれにも現像剤Ｇが搬送された状態に至るが、感光体３１の帯電領域Ｅが位置し、かつ、現像電圧が既に印加した状態にある。
このため、第１及び第２の現像ロール４１，４２の現像域Ｄ（Ｄ１，Ｄ２）では、キャリアバンドが生成される条件（図４（ｃ）参照）が回避されることになり、現像域Ｄ（Ｄ１，Ｄ２）でのキャリアバンドの生成は防止される。
つまり、作像開始時には、感光体３１の帯電領域Ｅが第１及び第２の現像ロール４１，４２の現像域Ｄ（Ｄ１，Ｄ２）に到達するときに、現像電圧を印加した状態にしておき、これと同時又はその後に、各現像域Ｄに現像剤層が供給されるようにすることで、各現像域Ｄでのキャリアバンドの生成が防止される。
【００６１】
＜作像終了時制御＞
また、制御装置１００は、図３２（ａ）〜（ｅ）に示すように、作像終了時（Cycle down）には以下の制御動作（条件Ｅ１〜Ｅ３）を実施する。
条件Ｅ１：感光体３１の非帯電領域Ｘが第２の現像ロール４２に到達する時間Ｔ４以降に現像用電源６７による現像電圧の印加動作を停止する制御動作
条件Ｅ２：感光体３１の非帯電領域Ｘが第１の現像ロール４１の現像域Ｄ１に到達する時間Ｔ３前に層規制部材（回転トリマ）４５による回転駆動を停止する制御動作
条件Ｅ３：層規制部材（回転トリマ）４５による回転駆動を停止した後で、感光体３１の帯電領域Ｅの形成が終了した後当該感光体３１の非帯電領域Ｘが第１の現像ロール４１の現像域Ｄ１に到達する時間Ｔ３までの間は、Ｌｔ／Ｒ１＜Ｌｃ―Ｌ０を満たす制御動作
作像終了時には、図３２（ａ）に示すように、先ず、感光体３１に対する帯電装置３２による帯電をオフにし、図３２（ｂ）に示すように、条件Ｅ２に従って層規制部材（回転トリマ）４５の回転駆動を停止する。この状態において、層規制部材（回転トリマ）４５による現像剤Ｇの層規制動作が終了し、層規制部材（回転トリマ）４５による層規制部位を通過する現像剤Ｇが略０になる。
このとき、図３２（ｃ）に示すように、層規制部材（回転トリマ）４５による層規制動作が終了することから、第１の現像ロール４１に保持されている現像剤ＧがＬｔだけ移動した段階で現像域Ｄ１を通過することになるが、条件Ｅ３に従って、第１の現像ロール４１の周速ｖｄ１を増速させることで、感光体３１の非帯電領域Ｘが第２の現像ロール４２の現像域Ｄ２に到達する前に、第１の現像ロール４１の現像域Ｄ１からは現像剤Ｇが搬送除去される。
この状態では、各現像ロール４１，４２の現像域Ｄ（Ｄ１，Ｄ２）には、図３２（ｃ）に示すように、感光体３１の帯電領域Ｅが対向しているため、第２の現像ロール４２の現像域Ｄ２には現像剤Ｇが存在することになるが、このタイミングでは現像用電源６７による現像電圧が印加された状態を保つ。
この後、図３２（ｄ）に示すように、感光体３１の非帯電領域Ｘが第２の現像ロール４２の現像域Ｄ２に到達した後に、条件Ｅ１に従って現像用電源６７による現像電圧の印加を停止させるようにすればよい。
この後、感光体３１の帯電領域Ｅが第１の現像ロール４１の現像域Ｄ１を通過するが、第１の現像ロール４１の現像域Ｄ１には現像剤Ｇが存在しないことから、現像域Ｄ１において感光体３１側にトナーやキャリアのかぶりは生じない。
この後、現像装置３４は、図３２（ｅ）に示すように、第１の現像ロール４１の現像域Ｄ１では現像剤Ｇが除去され、第２の現像ロール４２の現像域Ｄ２では現像剤がそのまま残るが、各現像ロール４１，４２に現像電圧の印加が停止されると共に、感光体３１の非帯電領域Ｘが通過する状態を維持し、作像処理を終了する。
つまり、作像終了時には、帯電装置３２よる帯電部位から第２の現像ロール４２の現像域Ｄ２に至るまでの感光体３１の周長と、層規制部材（回転トリマ）４５による層規制部位から現像域Ｄ１に至るまでの第１の現像ロール４１の周長との関係を規定し、感光体３１の非帯電領域Ｘが第２の現像ロール４２の現像域Ｄ２に到達する前に、第１の現像ロール４１の現像域Ｄ１に対応する部位から現像剤を除去することで、第１の現像ロール４１の現像域Ｄ１でのトナーやキャリアのーかぶり現象が防止される。一方、第２の現像ロール４２の現像域Ｄ２には現像剤Ｇは存在しているが、最終的に現像電圧の印加が停止されることから、第２の現像ロール４２の現像域Ｄ２でトナーやキャリアのかぶり現象は起こらない。
【００６２】
◎実施の形態５
図３３は実施の形態５に係る現像装置を示す。
同図において、本実施の形態に係る現像装置３４は、実施の形態３に係る現像装置を基本構成とし、更に第３の現像ロール１５０を追加したものである。尚、実施の形態３と同様な構成要素については実施の形態３と同様な符号を付してここではその詳細な説明を省略する。
本例では、現像装置３４は、現像容器４０の感光体３１に面した箇所に現像剤Ｇが保持搬送可能な複数（本例では３つ）の現像ロール４１，４２，１５０を上下に並べて配設し、実施の形態１と同様な撹拌搬送部材４３，４４による現像剤搬送系を用いて第１及び第２の現像ロール４１，４２に現像剤Ｇを供給した後、実施の形態３と同様な層規制部材（回転トリマ）４５、板状層規制部材（固定トリマ）１２０にて第１及び第２の現像ロール４１，４２上に保持される現像剤層を規制するものである。
特に、本例では、第３の現像ロール１５０は、図３３に示すように、第１の現像ロール４１に対し感光体３１の回転方向上流側に配設されており、第１及び第２の現像ロール４１，４２と略同様な現像スリーブ６１及び磁石ロール６２を有すると共に、現像スリーブ６１には現像剤Ｇが搬送可能な粗面（図示せず）を有しており、更に、当該現像スリーブ６１に現像用電源６７を接続することで、感光体３１との対向する現像域Ｄ３（Ｄ）に現像電界を作用させるようになっている。
更に、第３の現像ロール１５０と第１の現像ロール４１との対向部位には現像剤受渡し部１６０が形成されている。この現像剤受渡し部１６０は、実施の形態１，２の現像剤受渡し部１１０と略同様に構成されている。
更に、本実施の形態では、第３の現像ロール１５０の現像剤剥離部位に対応した部位には、剥離された現像剤Ｇを現像室４７内の撹拌搬送部材４３，４４の配設部位に戻す案内板１４６が設けられている。
【００６３】
本例では、制御装置１００による制御動作処理は、第１、第２の現像ロール４１，４２については実施の形態３で用いた制御アルゴリズムを利用し、第１、第３の現像ロール４１，１５０については実施の形態２で用いた制御アルゴリズムを利用し、全体としてトナーバンドやキャリアバンド時が生成されない条件が得られるように選定すればよい。
本実施の形態によれば、実施の形態３と略同様な作用により、第１及び第２の現像ロール４１，４２上に保持される現像剤Ｇは層規制部材（回転トリマ）４５、板状規制部材（固定トリマ）１２０によって層規制され、夫々の現像域Ｄ１，Ｄ２にて現像に供される。
この後、第１の現像ロール４１の現像域Ｄ１を通過した現像剤Ｇは現像剤受渡し部１６０にて第３の現像ロール１５０に受け渡され、第３の現像ロール１５０は受け渡された現像剤Ｇを保持して搬送し、現像域Ｄ３にて現像に供された後、現像剤剥離部位から案内板１４６を通じて現像室４７に戻される。
また、第２の現像ロール４２上の現像剤Ｇは現像域Ｄ２を通過した後現像剤剥離部位にて剥離されて現像室４７に戻される。
尚、本実施の形態では、第３の現像ロール１５０を一つ追加した態様であるが、これに限られるものではなく、例えば第１の現像ロール４１に対し感光体３１の回転方向上流側に複数の追加現像ロールを配設してもよいし、あるいは、本実施の形態とは別に、第２の現像ロール４２に対し感光体３１の回転方向下流側に一若しくは複数の追加現像ロールを配設してもよいし、第１及び第２の現像ロール４１，４２の両方に隣合う箇所に一若しくは複数の追加現像ロールを配設しても差し支えない。このことは実施の形態６についても同様である。
【００６４】
◎実施の形態６
図３４は実施の形態６に係る現像装置を示す。
同図において、本実施の形態に係る現像装置３４は、実施の形態４に係る現像装置を基本構成とし、更に第３の現像ロール１５０を追加したものである。尚、実施の形態４と同様な構成要素については実施の形態４と同様な符号を付してここではその詳細な説明を省略する。
本例では、現像装置３４は、現像容器４０の感光体３１に面した箇所に現像剤Ｇが保持搬送可能な複数（本例では３つ）の現像ロール４１，４２，１５０を上下に並べて配設し、実施の形態１と同様な撹拌搬送部材４３，４４による現像剤搬送系を用いて第１及び第２の現像ロール４１，４２に現像剤Ｇを供給した後、実施の形態４と同様な層規制部材（回転トリマ）４５、板状層規制部材（固定トリマ）１２０にて第１及び第２の現像ロール４１，４２上に保持される現像剤層を規制するものである。
特に、本例では、第３の現像ロール１５０は、図３４に示すように、第１の現像ロール４１に対し感光体３１の回転方向下流側に配設されており、第１及び第２の現像ロール４１，４２と略同様な現像スリーブ６１及び磁石ロール６２を有すると共に、現像スリーブ６１には現像剤Ｇが搬送可能な粗面（図示せず）を有しており、更に、当該現像スリーブ６１に現像用電源６７を接続することで、感光体３１との対向する現像域Ｄ３（Ｄ）に現像電界を作用させるようになっている。
更に、第３の現像ロール１５０と第１の現像ロール４１との対向部位には現像剤受渡し部１６０が形成されている。この現像剤受渡し部１６０は、実施の形態１，２の現像剤受渡し部１１０と略同様に構成されている。
【００６５】
本例では、制御装置１００による制御動作処理は、第１、第２の現像ロール４１，４２については実施の形態４で用いた制御アルゴリズムを利用し、第１、第３の現像ロール４１，１５０については実施の形態１で用いた制御アルゴリズムを利用し、全体としてトナーバンドやキャリアバント時が生成されない条件が得られるように選定すればよい。
本実施の形態によれば、実施の形態４と略同様な作用により、第１及び第２の現像ロール４１，４２上に保持される現像剤Ｇは層規制部材（回転トリマ）４５、板状規制部材（固定トリマ）１２０によって層規制され、夫々の現像域Ｄ１，Ｄ２にて現像に供される。
この後、第１の現像ロール４１の現像域Ｄ１を通過した現像剤Ｇは現像剤受渡し部１６０にて第３の現像ロール１５０に受け渡され、第３の現像ロール１５０は受け渡された現像剤Ｇを保持して搬送し、現像域Ｄ３にて現像に供された後、現像剤剥離部位から案内板４６を通じて現像室４７に戻される。
また、第２の現像ロール４２上の現像剤Ｇは現像域Ｄ２を通過した後現像剤剥離部位にて剥離されて現像室４７に戻される。
【００６６】
◎参考の形態
各実施の形態では、複数の現像ロールのうち、第１の現像ロール４１に対して層規制部材としての回転トリマ４５を用いているが、これらを利用した参考の形態としては例えば以下のものが挙げられる。
参考の形態に係る現像装置２４０は、例えば図３５に示すように、実施の形態３又は４と略同様な構成を有しているが、実施の形態３，４と異なり、複数の現像ロール４１，４２に夫々層規制部材としての回転トリマ４５（具体的には４５ａ，４５ｂ）を用い、現像開始時又は現像終了時に、夫々の回転トリマ４５の駆動を切り替えることで各現像ロール４１，４２の現像域Ｄ（Ｄ１，Ｄ２）への現像剤の搬送状態を制御すると共に、各現像ロール４１，４２への現像バイアスの印加タイミングを制御するようにしたものである。
尚、参考形態に係る現像装置２４０のうち実施の形態３又は４と同様な構成要素については実施の形態３又は４と同様な符号を付してここではその詳細な説明を省略する。
また、この参考の形態では、複数の現像ロール４１，４２は二つのものが示されているが、例えば実施の形態５又は６に示すように、３以上の現像ロールに対し複数の層規制部材としての回転トリマ４５を用いるようにしてもよいことは勿論である。
更に、一つの現像ロールを備えた現像装置にあっては、当該一つの現像ロールに層規制部材としての回転トリマを用い、現像開始時又は現像終了時に、回転トリマの駆動を切り替えることで現像ロールの現像域への現像剤の搬送状態を制御すると共に、現像ロールへの現像バイアスの印加タイミングを制御するようにしてもよいことは勿論である。
【実施例】
【００６７】
◎実験例
実験例は、実施の形態１に係る現像装置を具現化した実施例の性能を評価する上で、第１の現像ロール４１（平滑面６５を具備）と層規制部材（回転トリマ）４５との層規制動作を調べるものである。
この実験例に係る現像装置３４０は、例えば図３６（ａ）に示すように、現像容器４００内に第１の現像ロール４２に相当する現像ロール４１０（平滑面６５を具備）と層規制部材（回転トリマ）４５に相当する層規制部材４５０とを対向して配設し、撹拌搬送部材４３０，４４０を上下に配設し、かつ、現像ロール４１０に保持された未使用現像剤を回収ロール４６０にて回収するようにしたものである。
比較例は、図３６（ｂ）に示すように、実験例と略同様な構成を備えているが、実験例と異なり、現像ロール４２０として粗面６６を有するように、ブラストスリーブ又は溝スリーブで構成され、更に、層規制部材４７０として、磁性板を用いた板状規制部材（固定トリマ）を用いたものである。
ここで、実験例の現像ロール４１０の現像スリーブは、図３７（ａ）に示す平滑スリーブ（平滑面が最大高さＲｚで３μｍ）にて構成されている。
一方、比較例の現像ロール４２０の現像スリーブは図３７（ｂ）に示すブラストスリーブ（実験例の平滑スリーブにブラスト処理を施して構成）にて構成され、あるいは、図３７（ｃ）に示す溝スリーブ（実験例の平滑スリーブに対し深さｈの溝加工処理を施して構成）にて構成されている。
尚、実験例、比較例ともに、層規制部材と現像スリーブとの間隙は２４０μｍに設定されている。
【００６８】
実験例に係る現像装置、比較例に係る現像装置の性能を評価する上で、層規制部材（トリマ）、層規制用磁極の磁束密度、現像スリーブの表面を夫々組み合わせて、現像剤搬送量（ＭＯＳ）を測定したところ、図３８に示す結果が得られた。
図３８によれば、比較例では、固定トリマ＋ブラストスリーブ、溝スリーブを用いる場合には、一定のＭＯＳを得るには良好であるが、ＭＯＳ量を調整することは困難であることが判明した。
これに対し、実験例では、回転トリマ＋平滑スリーブを使用した場合には、ＭＯＳ量を調整することも極めて良好であることが確認された。
ちなみに、現像スリーブとして平滑スリーブを用いた態様で、固定トリマを使用すると、層形成自体が不可になってしまうことが理解される。
更に、層規制部位における層規制用磁極の磁束密度が５０ｍＴの場合には、ＭＯＳ量は多すぎず適量になるが、例えば８０ｍＴにすると、使用可能ではあるものの、ＭＯＳ量が多くなる傾向が見られる。
ここで、層規制部位における層規制用磁極の磁束密度が３０ｍＴ〜６０ｍＴであれば、ＭＯＳ量を適量に調整し易い点で好ましい。
【００６９】
また、実験例として、層規制部材（回転トリマ）と現像スリーブとの間隙を２４０μｍにしたものを平滑スリーブＩ、前記間隙を７０μｍにしたものを平滑スリーブＩＩとし、更に、現像スリーブをブラストスリーブと交換して回転トリマとブラストスリーブとの組み合わせ態様で、十点平均粗さが１８μｍで前記間隙が３５μｍとしたものをブラストスリーブＩ、また、十点平均粗さが１８μｍで前記間隙が４００μｍとしたものをブラストスリーブＩＩとしたものを用いた。
これらについて、回転トリマの周速比とＭＯＳとの関係を調べたところ、図３９に示す結果が得られた。
ＭＯＳ量としては、３００〜８００ｇ／ｍ２程度が実使用領域であるところ、平滑スリーブＩ，ＩＩはいずれもＭＯＳの実使用領域において可変調整していることが理解される。
この点、ブラストスリーブＩ，ＩＩは回転トリマの周速比が現像スリーブと回転トリマとが対向部位において同方向に回転すると、直ちにＭＯＳの実使用領域を越えてしまうことが理解される。特に、間隙の広いブラストスリーブＩＩでは搬送力が大きすぎてＭＯＳの制御が不可能である。
但し、ブラストスリーブＩ，ＩＩでは、現像スリーブと回転トリマとが対向部位で逆方向に回転した場合には、回転トリマが回転停止しているときに相当するＭＯＳが得られ、特に、ブラストスリーブＩに対してブラストスリーブＩＩに示すように、間隙を変更することによりＭＯＳを実使用領域内に調整することが可能であることが理解される。
尚、これらの実験例では、現像スリーブの平滑面は最大高さ３μｍであるが、この平滑面の表面粗さを振って同様な実験を行ったところ、平滑面は最大高さが５μｍ以下では、良好な傾向が見られた。
また、層規制部材と現像スリーブとの間隙についても、使用領域（０．０３５〜１．５ｍｍ）で振って同様な実験を行ったところ、上述した実験例と同様な傾向が見られた。特に、０．０６０〜１．０ｍｍ程度では安定していることが確認された。
【符号の説明】
【００７０】
１…第１の現像剤保持体，２…第２の現像剤保持体，３…現像剤供給手段，４…層規制回転体，５…受渡し手段，６…層規制固定体，１０…現像駆動手段，１１…現像電圧印加手段，１２…層規制駆動手段，１３…制御手段，１５…像保持体，１６…帯電装置，１７…潜像形成装置，１８…現像装置，Ｄ１，Ｄ２…現像域，ｚ…静電潜像
【図１】
2013205627.tif 000003
【図２】
2013205627.tif 000004
【図３】
2013205627.tif 000005
【図４】
2013205627.tif 000006
【図５】
2013205627.tif 000007
【図６】
2013205627.tif 000008
【図７】
2013205627.tif 000009
【図８】
2013205627.tif 000010
【図９】
2013205627.tif 000011
【図１０】
2013205627.tif 000012
【図１１】
2013205627.tif 000013
【図１２】
2013205627.tif 000014
【図１３】
2013205627.tif 000015
【図１４】
2013205627.tif 000016
【図１５】
2013205627.tif 000017
【図１６】
2013205627.tif 000018
【図１７】
2013205627.tif 000019
【図１８】
2013205627.tif 000020
【図１９】
2013205627.tif 000021
【図２０】
2013205627.tif 000022
【図２１】
2013205627.tif 000023
【図２２】
2013205627.tif 000024
【図２３】
2013205627.tif 000025
【図２４】
2013205627.tif 000026
【図２５】
2013205627.tif 000027
【図２６】
2013205627.tif 000028
【図２７】
2013205627.tif 000029
【図２８】
2013205627.tif 000030
【図２９】
2013205627.tif 000031
【図３０】
2013205627.tif 000032
【図３１】
2013205627.tif 000033
【図３２】
2013205627.tif 000034
【図３３】
2013205627.tif 000035
【図３４】
2013205627.tif 000036
【図３５】
2013205627.tif 000037
【図３６】
2013205627.tif 000038
【図３７】
2013205627.tif 000039
【図３８】
2013205627.tif 000040
【図３９】
2013205627.tif 000041